(57)【要約】      （修正有）【課題】一対の留め具の位置のズレを自動的に修正し、片手のみで、二つ折り形式のカード入れを閉めることができるカード入れを備えた携帯情報端末ケースを提供すること。【解決手段】二つ折り形式のカード入れのＡ面部とＢ面部の接合部Ｐがピン接合され、Ｂ面部の背面側と携帯情報端末ケースの背面側とが張り合わせてなり、Ａ面部に第１の留め具Ｍ１と第２の留め具Ｍ２とを設けて、Ｂ面部に、第１の留め具Ｍに対応する第３の留め具Ｍ３と、第２の留め具Ｍ２に対応する第４の留め具Ｍ４とを設け、第１の留め具Ｍ１〜第４の留め具Ｍ４は、丸磁石からなり、第１の留め具Ｍ１と第３の留め具Ｍ３は、両留め具が閉じて係合する場合、両留め具の磁極中心線及び当該磁極中心線の向きが一致し、第２の留め具Ｍ２と第４の留め具Ｍ４は、両留め具の磁極中心線及び当該磁極中心線の向きが一致することを特徴とするカード入れを備えた携帯情報端末ケース。【選択図】図１２
2018126223.tif 000002
【特許請求の範囲】
【請求項１】
ケース本体２０と二つ折り形式のカード入れ１０からなるカード入れを備えた携帯情報端末ケース１００において、二つ折り形式のカード入れ１０のＡ面部とＢ面部の接合部Ｐがピン接合され、Ｂ面部の背面側と携帯情報端末ケースの背面側とが張り合わせてなり、Ａ面部に第１の留め具Ｍ１と第２の留め具Ｍ２とを設けて、Ｂ面部に、第１の留め具Ｍに対応する第３の留め具Ｍ３と、第２の留め具Ｍ２に対応する第４の留め具Ｍ４とを設けてなり、第１の留め具Ｍ１〜第４の留め具Ｍ４は、丸磁石ＣＭからなり、第１の留め具Ｍ１と第３の留め具Ｍ３は、両留め具が閉じて係合する場合、両留め具の磁極中心線及び当該磁極中心線の向きが一致し、第２の留め具Ｍ２と第４の留め具Ｍ４は、両留め具の磁極中心線及び当該磁極中心線の向きが一致することを特徴とするカード入れを備えた携帯情報端末ケース１００。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
【請求項２】
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とする請求項１に記載されたカード入れを備えた携帯情報端末ケース。
【請求項３】
二つ折り形式のカード入れを閉める場合、第１の留め具Ｍ１と第３の留め具Ｍ３、及び、第２の留め具Ｍ２と第４の留め具Ｍ４により、隙間部分Ｓが保持されてなり、二つ折り形式のカード入れを開ける場合、隙間部分Ｓに指の一部を入れて指をＡ面部に引掛けて指の力が磁石力に打ち勝って開けることができることを特徴とする請求項１〜２の何れかに記載されたカード入れを備えた携帯情報端末ケース。
【請求項４】
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とする請求項１〜３の何れかに記載されたカード入れを備えた携帯情報端末ケース。
ここに、第１の留め具Ｍ１〜第４の留め具Ｍ４の磁極中心線とは、丸磁石ＣＭのＳ極の中心とＮ極の中心を通る線をいう。
【請求項５】
第１の留め具Ｍ１〜第４の留め具Ｍ４が、キャップｃａｐを被せられた丸磁石ＣＭからなることを特徴とする請求項１〜４の何れかに記載されたカード入れを備えた携帯情報端末ケース。
【請求項６】
Ａ面部又はＢ面部にポケット部ｐｔが、カードを取り容れる挿入口Ｏを複数有することを特徴とする請求項１〜５の何れかに記載されたカード入れを備えた携帯情報端末ケース。
【請求項７】
第１の留め具Ｍ１〜第４の留め具Ｍ４は、リング磁石又は鉄片からなり  
第１の留め具Ｍ１と第３の留め具Ｍ３、及び、第２の留め具Ｍ２と第４の留め具Ｍ４は、両留め具の一方が磁石であれば他方が鉄片であることを特徴とするカード入れを備えた携帯情報端末ケース１００。
ここに、リング磁石と鉄片の接触面における磁石の極性は問わない。
【請求項８】
リング磁石と鉄片の接触面における磁石の極性は問わないことを特徴とする請求項１〜７の何れかに記載されたカード入れを備えた携帯情報端末ケース。
【発明の詳細な説明】
【技術分野】
【０００１】
本発明は、カード入れを備えた携帯情報端末ケースに関する。
【背景技術】
【０００２】
携帯情報端末を収納する携帯情報端末ケースは、財布よりも頻繁に手にするようになり、カード（ＩＣカード等）を携帯情報端末ケースに収納して使用する必要性が高まってきた。本発明は、かかる技術背景に鑑みて創作されたものである。
二つ折り形式のカード入れを閉める場合、留め具が従来技術のホックの場合、ホックの雄雌の位置がズレて、両手でズレを修正しつつ、ホックを押して留めなければならないという欠点が想定された。
また、二つ折り形式のカード入れにカードをスムーズに収納するためには、カードポケットをカードより大きめにする必要が有るが、大きめにするとカードを収納した二つ折り形式のカード入れが上下逆さになった場合、カードが抜け落ちて紛失するおそれがあるという欠点が生じる。
【発明の開示】
【０００３】
発明者は、かかる従来技術の欠点に鑑み鋭意研究した結果、本願発明を完成させた。
【先行技術文献】
【特許文献】
【０００４】
本願発明に係るカード入れを備えた携帯情報端末ケースについて、ＦＩ、キーワード検索を行ったところ、本件発明（特許請求１〜８の何れかに記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
かかる欠点を是正すべく、一対の留め具の位置のズレを人の手に頼るのではなく自動的に修正し、かつ、片手のみで、二つ折り形式のカード入れを閉めることができるカード入れを備えた携帯情報端末ケースを提供することである。
○本発明が解決しようとする第２課題
本発明が解決しようとする第２課題は、
かかる欠点を是正すべく、二つ折り形式のカード入れを備えた情報端末ケースにおいて、カード入れの開閉がワンタッチででき、カードの収納がスムーズにでき、カード入れに収納したカードがカード入れから抜け落ちて紛失することがないようにしたカード入れを備えた携帯情報端末ケースを提供することである。
○本発明が解決しようとする第３課題
本発明が解決しようとする第３課題は、
従来の複数のカードを入れるカード入れは複数のポケット備えていて、複数のポケットの材料の厚み分嵩張ることになるという欠点があったが、複数のポケットの材料の厚み分嵩張ることがなく、複数のカードを収納することができるカード入れを備えた携帯情報端末ケースを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○カード入れを備えた携帯情報端末ケース１００とは、ケース本体２０と二つ折り形式のカード入れ１０からなる携帯情報端末を収納するケースをいう。
携帯情報端末とは、スケジュール、ＴｏＤｏ、住所録、メモなどの情報を携帯して扱うための小型機器をいう。Ｐｅｒｓｏｎａｌ  Ｄｉｇｉｔａｌ  Ａｓｓｉｓｔａｎｔ（Ｐｅｒｓｏｎａｌ  Ｄａｔａ  Ａｓｓｉｓｔａｎｔと表現されることもある）を略してＰＤＡと一般に呼ばれることが多い。ＰＤＡは、アップル・ニュートンの開発を推進した１９９０年代初頭のアップルコンピュータＣＥＯだったジョン・スカリーによる造語である。
２０００年代のＰＤＡは静止画閲覧、ネットアクセス、動画再生など多くの機能を実装したマルチメディア端末となった。２０１０年代現在のＰＤＡは、メディアプレーヤやタブレット端末およびスマートフォンなどの携帯デバイスの市場に吸収された形となっている。
○ケース本体２０とは、携帯情報端末を収納するためのケースの本体をいう。本願発明では、ケース本体２０は、背面板、左右側面板の３面板、あるいは、
背面板、平面板、底面板、左右側面板の５面板から構成される。
○カード入れ１０とは、カードｃｄを収納するためのケースをいう。
カード入れ１０とは、本発明では、Ａ面部とＢ面部を有する二つ折り形式のカード入れであり、Ａ面部とＢ面部の接合部Ｐがピン接合されてなり、本と同様、面部とＢ面部が開き閉じるようになっている。
○カードｃｄとは、小さな四角い紙（特に、ある規格に従ってそろえたもの）、あるいは「クレジットカード」、「キャッシュカード」、「ＩＣカード」、「テレホンカード」等をいう。
○Ａ面部とは、ケース本体２０の一方の面部をいい、Ａ面部は、カードを収納するための１又は２以上のポケットｐｔを有する。ポケットｐｔは、その周囲をＡ面部に縫い付けられ等によりａ面部又は、ｂ面部接合されてなり、複数の挿入口Ｏ（カードを挿入したり取り出したりするための挿入口Ｏ）を形成している。
○Ｂ面部とは、ケース本体２０の他方の面部をいい、Ｂ面部は、カードを収納するための１又は２以上のポケットを有する。ポケットｐｔは、その周囲をＡ面部に縫い付けられて、かつ、複数の挿入口Ｏを設けられている。
そして、Ｂ面部の背面側と携帯情報端末ケースの背面側とが張り合わせてなる。
○接合部Ｐとは、二つ折り形式のカード入れ１０のＡ面部とＢ面部の接合部Ｐをピン接合するための接合部であり、ピン接合するために本の背表紙のように弾性変形可能になっている。このため、二つ折り形式のカード入れ１０のＡ面部とＢ面部を接合部Ｐを介して開閉すれば、Ａ面部とＢ面部が不可避的に多少ズレる。
○丸磁石ＣＭとは、外径ｄｏ×高さｈの断面が外径ｄｏの円形状で両端面が平行で円柱状磁石であって、両端面の一面がＮ極又はＳ極、両端面の他面がＳ極又はＮ極である磁石をいう（図１６（Ａ）図）。
丸磁石ＣＭの中心部に貫通穴があけられたものもあり、留め具を丸磁石ＣＭの貫通穴に通すことにより、丸磁石ＣＭがA面部及び/又はA面部に設置される場合が例示される。。
○ネオジム磁石（英語：Ｎｅｏｄｙｍｉｕｍ  ｍａｇｎｅｔ）は、ネオジム、鉄、ホウ素を主成分とする希土類磁石（レアアース磁石）の一つである。ネオジム磁石は、永久磁石のうちでは最も強力とされている。
○キャップｃａｐとは、磁石と組み合わせることにより、磁気回路が構成され磁束が必要な場所に集中させて、磁石単体より５〜１０倍の吸着力は大きく向上させるための鉄をいう（図１６（Ｂ）図）。
キャップｃａｐとは、本願発明において、直径ｄ、高さｈの丸磁石ＣＭに一体的に被せられた磁性体をいう。
キャップｃａｐを用いることにより、磁石単体より５〜１０倍の吸着力は大きく向上させることができるので、本発明課題をより十分かつより確実に達成することができると共に、第１の磁石Ｍ１〜第４の磁石Ｍ４をよりコンパクトにすることができる。
○フェライト磁石（Ｆｅｒｒｉｔｅ  ｍａｇｎｅｔ）とは、フェライト磁性体による磁石である。特に強磁性のハード・フェライトが、一般にいう磁石の性質を有する。軟磁性のソフト・フェライトは（軟磁性であるため）フェライトコア等に使われる。
○第１の留め具Ｍ１〜第４の留め具Ｍ４とは、二つ折り形式のカード入れ１０のＡ面部とＢ面部を閉じて係止する器具をいう。
Ａ面部に第１の留め具Ｍ１と第２の留め具Ｍ２とを設けて、Ｂ面部に、第１の留め具Ｍに対応する第３の留め具Ｍ３と、第２の留め具Ｍ２に対応する第４の留め具Ｍ４とを設けてなる。
すなわち、Ａ面部の第１の留め具Ｍ１とＢ面部の第３の留め具Ｍ３とが一対となり、Ａ面部の第２の留め具Ｍ２とＢ面部の第４の留め具Ｍ４とが一対になる。
第１の留め具Ｍ１〜第４の留め具Ｍ４が、丸磁石からなる場合と、丸磁石又は鉄片からなる場合の２つの場合がある。  
（１）前者の場合、
第１の留め具Ｍ１と第３の留め具Ｍ３は、両留め具が係合する場合、両留め具の両留め具の磁極中心線及び当該磁極中心線の向きが一致し、第２の留め具Ｍ２と第４の留め具Ｍ４は、両留め具の両留め具の磁極中心線及び当該磁極中心線の向きが一致している。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
（２）後者の場合、
第１の留め具Ｍ１と第３の留め具Ｍ３は、両留め具の一方が磁石であれば他方が鉄片であり、丸磁石と鉄片の接触面における磁石の極性は問わない。
○留め具の磁極中心線とは、丸磁石ＣＭのＳ極の中心とＮ極の中心を通る線をいう。
○留め具の磁極中心線が一致するとは、２つの留め具の磁極中心線が重なることをいう。
○両留め具が閉じて係合する場合とは、Ａ面部とＢ面部が接合部Ｐを介して閉じて、両留め具が係合してＡ面部とＢ面部が留められることをいう。
具体的には、第１の留め具Ｍ１〜第４の留め具Ｍ４が、丸磁石からなる場合と、丸磁石又は鉄片からなる場合の２つの場合において、磁力により両留め具が離れないように留めることをいう。
○カード入れを備えた携帯情報端末ケース１００を上下逆さにした場合とは、カード入れを備えた携帯情報端末ケース１００を上下逆さにして、収納されたカードに最も落下して紛失しやすいように重力が作用する状況を造ることであり、そのような状況にあっても、第１の留め具Ｍ１及び／又は第３の留め具Ｍ３により、係止されて外に落下してしまわない。
○隙間部分Ｓとは、Ａ面部とＢ面部が接合部Ｐを介して閉じた場合、Ａ面部とＢ面部を密着させず、Ａ面部とＢ面部の間に第１の留め具Ｍ１と第３の留め具Ｍ３、及び、第２の留め具Ｍ２と第４の留め具Ｍ４が有ることにより生じるＡ面部とＢ面部の間の空間部分をいう。
上記の隙間部分Ｓを確保することにより、二つ折り形式のカード入れを開ける場合、隙間部分Ｓに指の一部を入れ指をＡ面部に引掛けて指の力が磁石力に打ち勝って開けることができるという特徴的構成要件を備えたカード入れを備えた携帯情報端末ケース１００を提供することができた。
○丸磁石の力で自動的にとは、一対の留め具の位置のズレを人の手を介して修正する必要がなく、丸磁石の力のみで自動的に修正することが可能であることをいう。
○一対の留め具の位置のズレδ（ｃｍ）とは、一対の留め具の中心軸の線が一致する状態から一対の留め具の中心軸の線の最短距離をいう。
留め具が丸磁石の場合、磁極中心線との留め具の中心軸の線とは一致する。
課題を解決するための手段は、本願の特許請求の範囲の各請求項に記載の発明であり、その具体的な解決手段は、以下の通りである。
○第１の発明（請求項１に記載の発明）
●上記の課題を解決するための第１の発明（請求項１に記載の発明）は、
ケース本体２０と二つ折り形式のカード入れ１０からなるカード入れを備えた携帯情報端末ケース１００において、二つ折り形式のカード入れ１０のＡ面部とＢ面部の接合部Ｐがピン接合され、Ｂ面部の背面側と携帯情報端末ケースの背面側とが張り合わせてなり、Ａ面部に第１の留め具Ｍ１と第２の留め具Ｍ２とを設けて、Ｂ面部に、第１の留め具Ｍに対応する第３の留め具Ｍ３と、第２の留め具Ｍ２に対応する第４の留め具Ｍ４とを設けてなり、第１の留め具Ｍ１〜第４の留め具Ｍ４は、丸磁石ＣＭからなり、第１の留め具Ｍ１と第３の留め具Ｍ３は、両留め具が閉じて係合する場合、両留め具の磁極中心線及び当該磁極中心線の向きが一致し、第２の留め具Ｍ２と第４の留め具Ｍ４は、両留め具の磁極中心線及び当該磁極中心線の向きが一致することを特徴とするカード入れを備えた携帯情報端末ケース１００である。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
○第２の発明（請求項２に記載の発明）
●上記の課題を解決するための第２の発明（請求項２に記載の発明）は、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とする請求項１に記載されたカード入れを備えた携帯情報端末ケースである。
○第３の発明（請求項３に記載の発明）
●上記の課題を解決するための第３の発明（請求項３に記載の発明）は、
二つ折り形式のカード入れを閉める場合、第１の留め具Ｍ１と第３の留め具Ｍ３、及び、第２の留め具Ｍ２と第４の留め具Ｍ４により、隙間部分Ｓが保持されてなり、二つ折り形式のカード入れを開ける場合、隙間部分Ｓに指の一部を入れて指をＡ面部に引掛けて指の力が磁石力に打ち勝って開けることができることを特徴とする請求項１〜２の何れかに記載されたカード入れを備えた携帯情報端末ケースである。
○第４の発明（請求項４に記載の発明）
●上記の課題を解決するための第４の発明（請求項４に記載の発明）は、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とする請求項１〜３の何れかに記載されたカード入れを備えた携帯情報端末ケースである。
ここに、第１の留め具Ｍ１〜第４の留め具Ｍ４の磁極中心線とは、丸磁石ＣＭのＳ極の中心とＮ極の中心を通る線をいう。
○第５の発明（請求項５に記載の発明）
●上記の課題を解決するための第５の発明（請求項５に記載の発明）は、  第１の留め具Ｍ１〜第４の留め具Ｍ４が、キャップｃａｐを被せられた丸磁石ＣＭからなることを特徴とする請求項１〜４の何れかに記載されたカード入れを備えた携帯情報端末ケースである。
○第６の発明（請求項６に記載の発明）
●上記の課題を解決するための第６の発明（請求項６に記載の発明）は、
Ａ面部又はＢ面部にポケット部ｐｔが、カードを取り容れる挿入口Ｏを複数有することを特徴とする請求項１〜５の何れかに記載されたカード入れを備えた携帯情報端末ケースである。
○第７の発明（請求項７に記載の発明）
●上記の課題を解決するための第７の発明（請求項７に記載の発明）は、
第１の留め具Ｍ１〜第４の留め具Ｍ４は、リング磁石又は鉄片からなり  
第１の留め具Ｍ１と第３の留め具Ｍ３は、両留め具の一方が磁石であれば他方が鉄片であることを特徴とする請求項１〜６の何れかに記載されたカード入れを備えた携帯情報端末ケースである。
ここに、リング磁石と鉄片の接触面における磁石の極性は問わない。
○第８の発明（請求項８に記載の発明）
●上記の課題を解決するための第８の発明（請求項８に記載の発明）は、
鉄片の断面積がリング磁石の断面積よりも大きいことを特徴とする請求項１〜７の何れかに記載されたカード入れを備えた携帯情報端末ケースである。
【発明の効果】
【０００７】
本発明に係る、カード入れを備えた携帯情報端末ケースは、上記のような特徴的構成要件から構成され、特徴的構成要件に応じた、以下のような本願発明特有の効果を奏する。
また、上記の各発明に応じた、上記のような特徴的構成要件から構成されたカード入れを備えた携帯情報端末ケースによれば、本願発明の課題を十分解消することができた。
○第１の発明の効果
第１の発明によれば、
ケース本体２０と二つ折り形式のカード入れ１０からなるカード入れを備えた携帯情報端末ケース１００において、二つ折り形式のカード入れ１０のＡ面部とＢ面部の接合部Ｐがピン接合され、Ｂ面部の背面側と携帯情報端末ケースの背面側とが張り合わせてなり、Ａ面部に第１の留め具Ｍ１と第２の留め具Ｍ２とを設けて、Ｂ面部に、第１の留め具Ｍに対応する第３の留め具Ｍ３と、第２の留め具Ｍ２に対応する第４の留め具Ｍ４とを設けてなり、第１の留め具Ｍ１〜第４の留め具Ｍ４は、丸磁石ＣＭからなり、第１の留め具Ｍ１と第３の留め具Ｍ３は、両留め具が閉じて係合する場合、両留め具の磁極中心線及び当該磁極中心線の向きが一致し、第２の留め具Ｍ２と第４の留め具Ｍ４は、両留め具の磁極中心線及び当該磁極中心線の向きが一致することを特徴とするカード入れを備えた携帯情報端末ケース１００。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
という特徴的な構成要件により、本発明が解決しようとする第１課題〜第３課題を達成することができ、当業者予測不可能な顕著な効果を奏することができた。
○第２の発明の効果
第２の発明によれば、
カード入れを備えた携帯情報端末ケース１００を上下逆さにした場合、収納されたカード上辺が、第１の留め具Ｍ１及び／又は第３の留め具Ｍ３により、係止されて外に落下してしまわないことという特徴的な構成要件により、本発明が解決しようとする第１課題〜第３課題を達成することができ、当業者予測不可能な顕著な効果を奏することができた。
○第３の発明の効果
第３の発明によれば、
二つ折り形式のカード入れを閉める場合、第１の留め具Ｍ１と第３の留め具Ｍ３、及び、第２の留め具Ｍ２と第４の留め具Ｍ４により、隙間部分Ｓが保持されてなり、二つ折り形式のカード入れを開ける場合、隙間部分Ｓに指の一部を入れて指をＡ面部に引掛けて指の力が磁石力に打ち勝って開けることができることという特徴的な構成要件により、本発明が解決しようとする第１課題〜第３課題を達成することができ、当業者予測不可能な顕著な効果を奏することができた。
○第４の発明の効果
第４の発明によれば、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とするカード入れを備えた携帯情報端末ケース１００。
ここに、第１の留め具Ｍ１〜第４の留め具Ｍ４の磁極中心線とは、丸磁石ＣＭのＳ極の中心とＮ極の中心を通る線をいう。
という特徴的な構成要件により、本発明が解決しようとする第１課題〜第３課題を達成することができ、当業者予測不可能な顕著な効果を奏することができた。
○第５の発明の効果
第５の発明によれば、
第１の留め具Ｍ１〜第４の留め具Ｍ４が、キャップｃａｐを被せられた丸磁石ＣＭからなることという特徴的な構成要件により、本発明が解決しようとする第１課題〜第３課題を達成することができ、当業者予測不可能な顕著な効果を奏することができた。
○第６の発明の効果
第６の発明によれば、
Ａ面部又はＢ面部にポケット部ｐｔが、カードを取り容れる挿入口Ｏを複数有することという特徴的な構成要件により、本発明が解決しようとする第１課題〜第３課題を達成することができ、当業者予測不可能な顕著な効果を奏することができた。
○第７の発明の効果
第７の発明によれば、
第１の留め具Ｍ１〜第４の留め具Ｍ４は、リング磁石又は鉄片からなり  
第１の留め具Ｍ１と第３の留め具Ｍ３、及び、第２の留め具Ｍ２と第４の留め具Ｍ４は、両留め具の一方が磁石であれば他方が鉄片であることを特徴とするカード入れを備えた携帯情報端末ケース１００。
ここに、リング磁石と鉄片の接触面における磁石の極性は問わない。
という特徴的な構成要件により、本発明が解決しようとする第１課題〜第３課題を達成することができ、当業者予測不可能な顕著な効果を奏することができた。
○第８の発明の効果
第８の発明によれば、
鉄片の断面積がリング磁石の断面積よりも大きいことという特徴的な構成要件により、本発明が解決しようとする第１課題〜第３課題を達成することができ、当業者予測不可能な顕著な効果を奏することができた。
【発明を実施するための最良の形態】
【０００８】
以下、本発明に係る、カード入れを備えた携帯情報端末ケースに関する最良の実施形態について、図面を参照しながら説明する。
［図１］図１は、本発明に係る、カード入れを備えた携帯情報端末ケースの正面図である。
［図２］図２は、本発明に係る、カード入れを備えた携帯情報端末ケースの背面図である。
［図３］図３は、本発明に係る、カード入れを備えた携帯情報端末ケースの平面図である。
［図４］図４は、本発明に係る、カード入れを備えた携帯情報端末ケースの底面図である。
［図５］図５は、本発明に係る、カード入れを備えた携帯情報端末ケースの右側面図である。
［図６］図６は、本発明に係る、カード入れを備えた携帯情報端末ケースの左側面図である。
［図７］図６は、本発明に係る、カード入れを備えた携帯情報端末ケースの正面右上から見た斜視図である。
［図８］図８は、本発明に係る、カード入れを備えた携帯情報端末ケースの背面右上から見た斜視図である。
［図９］図９は、本発明に係る、カード入れを備えた携帯情報端末ケースの開いた状態を表す正面図である。
［図１０］図１０は、本発明に係る、カード入れを備えた携帯情報端末ケースの開いた状態を表す背面図である。
［図１１］図１１は、本発明に係る、カード入れを備えた携帯情報端末ケースの開いた状態を表す正面図である。
［図１２］図１２は、本発明に係る、カード入れを備えた携帯情報端末ケースの開いた状態を表す背面図である。
［図１３］図１３は、本発明に係る、カード入れを備えた携帯情報端末ケースを閉じた状態から開いた状態にする方法を示す図である。（Ａ）図は、本発明に係る、カード入れを備えた携帯情報端末ケースを閉じた状態を示す図である。（Ｂ）図は、Ａ面部が親指を入れることにより中央部変形して隙間部分Ｓが広がることによって、片手だけで、閉じた状態から開いた状態にする方法を示す図である。（Ｃ）図は、本発明に係る、カード入れを備えた携帯情報端末ケースを開いた状態を示す図である。
［図１４］図１４は、本発明に係る、カード入れを備えた携帯情報端末ケースにおいて、第１の留め具Ｍ１と第２の留め具Ｍ２が当接することによって、閉じた状態であっても隙間部Ｓが確保されているを表す図である。隙間部Ｓが確保されることによって、親指の一部が隙間部Ｓに入り、Ａ面部が親指を入れることにより中央部変形して隙間部分Ｓが広がることによって、片手だけで、閉じた状態から開いた状態にすることができる。
［図１５］図１５は、本発明に係る、カード入れを備えた携帯情報端末ケースを上下逆さにした場合であっても、カードｃｄ上辺が留め具Ｍ２に寸法的に当たることを示している図である。
［図１６］図１６は、本発明に係る、カード入れを備えた携帯情報端末ケースの丸磁石ＣＭ及びキャップｃａｐを被せられた丸磁石Ｃを表す図である。（Ａ）図は、カード入れを備えた携帯情報端末ケースの丸磁石ＣＭを表す図である。（Ｂ）図は、カード入れを備えた携帯情報端末ケースのキャップｃａｐを被せられた丸磁石Ｃを表す図である。
［図１７］図１７は、本発明に係る、カード入れを備えた携帯情報端末ケースにおいて、一対の留め具の位置のズレδを、磁石力Ｆにより自動的に修正することを示す模式図である。図は、本発明に係る、カード入れを備えた携帯情報端末ケースが寸法誤差０で理想的に製造された場合で、一対の留め具の位置のズレδが０の場合を表す図である。（Ｂ）図は、一対の留め具の位置のズレδが生じていても、磁石力Ｆにより自動的にズレδを修正することを示す模式図である。
以下、本発明に係る、カード入れを備えた携帯情報端末ケースについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
ケース本体２０と二つ折り形式のカード入れ１０からなるカード入れを備えた携帯情報端末ケース１００において、二つ折り形式のカード入れ１０のＡ面部とＢ面部の接合部Ｐがピン接合され、Ｂ面部の背面側と携帯情報端末ケースの背面側とが張り合わせてなり、Ａ面部に第１の留め具Ｍ１と第２の留め具Ｍ２とを設けて、Ｂ面部に、第１の留め具Ｍに対応する第３の留め具Ｍ３と、第２の留め具Ｍ２に対応する第４の留め具Ｍ４とを設けてなり、第１の留め具Ｍ１〜第４の留め具Ｍ４は、丸磁石ＣＭからなり、第１の留め具Ｍ１と第３の留め具Ｍ３は、両留め具が閉じて係合する場合、両留め具の磁極中心線及び当該磁極中心線の向きが一致し、第２の留め具Ｍ２と第４の留め具Ｍ４は、両留め具の磁極中心線及び当該磁極中心線の向きが一致することを特徴とするカード入れを備えた携帯情報端末ケース１００が開示されている。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
○第１の発明の効果
第１の発明によれば、
ケース本体２０と二つ折り形式のカード入れ１０からなるカード入れを備えた携帯情報端末ケース１００において、二つ折り形式のカード入れ１０のＡ面部とＢ面部の接合部Ｐがピン接合され、Ｂ面部の背面側と携帯情報端末ケースの背面側とが張り合わせてなり、Ａ面部に第１の留め具Ｍ１と第２の留め具Ｍ２とを設けて、Ｂ面部に、第１の留め具Ｍに対応する第３の留め具Ｍ３と、第２の留め具Ｍ２に対応する第４の留め具Ｍ４とを設けてなり、第１の留め具Ｍ１〜第４の留め具Ｍ４は、丸磁石ＣＭからなり、第１の留め具Ｍ１と第３の留め具Ｍ３は、両留め具が閉じて係合する場合、両留め具の磁極中心線及び当該磁極中心線の向きが一致し、第２の留め具Ｍ２と第４の留め具Ｍ４は、両留め具の磁極中心線及び当該磁極中心線の向きが一致することを特徴とするカード入れを備えた携帯情報端末ケース１００。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
という特徴的な構成要件により、本発明が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とする請求項１に記載されたカード入れを備えた携帯情報端末ケースが開示されている
○第２の発明の効果
第２の発明によれば、
カード入れを備えた携帯情報端末ケース１００を上下逆さにした場合、収納されたカード上辺が、第１の留め具Ｍ１及び／又は第３の留め具Ｍ３により、係止されて外に落下してしまわないことという特徴的な構成要件により、本発明が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
二つ折り形式のカード入れを閉める場合、第１の留め具Ｍ１と第３の留め具Ｍ３、及び、第２の留め具Ｍ２と第４の留め具Ｍ４により、隙間部分Ｓが保持されてなり、二つ折り形式のカード入れを開ける場合、隙間部分Ｓに指の一部を入れて指をＡ面部に引掛けて指の力が磁石力に打ち勝って開けることができることを特徴とする請求項１〜２の何れかに記載されたカード入れを備えた携帯情報端末ケースが開示されている。
○第３の発明の効果
第３の発明によれば、
二つ折り形式のカード入れを閉める場合、第１の留め具Ｍ１と第３の留め具Ｍ３、及び、第２の留め具Ｍ２と第４の留め具Ｍ４により、隙間部分Ｓが保持されてなり、二つ折り形式のカード入れを開ける場合、隙間部分Ｓに指の一部を入れて指をＡ面部に引掛けて指の力が磁石力に打ち勝って開けることができることという特徴的な構成要件により、本発明が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とする請求項１〜３の何れかに記載されたカード入れを備えた携帯情報端末ケースが開示されている。
ここに、第１の留め具Ｍ１〜第４の留め具Ｍ４の磁極中心線とは、丸磁石ＣＭのＳ極の中心とＮ極の中心を通る線をいう。
○第４の発明の効果
第４の発明によれば、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とするカード入れを備えた携帯情報端末ケース１００。
ここに、第１の留め具Ｍ１〜第４の留め具Ｍ４の磁極中心線とは、丸磁石ＣＭのＳ極の中心とＮ極の中心を通る線をいう。
という特徴的な構成要件により、本発明が解決しようとする第１課題〜第３課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
第１の留め具Ｍ１〜第４の留め具Ｍ４が、キャップｃａｐを被せられた丸磁石ＣＭからなることを特徴とする請求項１〜４の何れかに記載されたカード入れを備えた携帯情報端末ケースが開示されている。
○第５の発明の効果
第５の発明によれば、
第１の留め具Ｍ１〜第４の留め具Ｍ４が、キャップｃａｐを被せられた丸磁石ＣＭからなることという特徴的な構成要件により、本発明が解決しようとする第１課題〜第３課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
Ａ面部又はＢ面部にポケット部ｐｔが、カードを取り容れる挿入口Ｏを複数有することを特徴とする請求項１〜５の何れかに記載されたカード入れを備えた携帯情報端末ケースが開示されている。
○第６の発明の効果
第６の発明によれば、
Ａ面部又はＢ面部にポケット部ｐｔが、カードを取り容れる挿入口Ｏを複数有することという特徴的な構成要件により、本発明が解決しようとする第１課題〜第３課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
第１の留め具Ｍ１〜第４の留め具Ｍ４は、リング磁石又は鉄片からなり  
第１の留め具Ｍ１と第３の留め具Ｍ３、及び、第２の留め具Ｍ２と第４の留め具Ｍ４は、両留め具の一方が磁石であれば他方が鉄片であることを特徴とする請求項１〜６の何れかに記載されたカード入れを備えた携帯情報端末ケース１００が開示されている。
ここに、リング磁石と鉄片の接触面における磁石の極性は問わない。
○第７の発明の効果
第７の発明によれば、
第１の留め具Ｍ１〜第４の留め具Ｍ４は、リング磁石又は鉄片からなり  
第１の留め具Ｍ１と第３の留め具Ｍ３、及び、第２の留め具Ｍ２と第４の留め具Ｍ４は、両留め具の一方が磁石であれば他方が鉄片であることを特徴とする請求項１〜６の何れかに記載されたカード入れを備えた携帯情報端末ケース１００。
ここに、リング磁石と鉄片の接触面における磁石の極性は問わない。
という特徴的な構成要件により、本発明が解決しようとする第１課題〜第３課題を達成することができ、当業者予測不可能な顕著な効果を奏することができた。という特徴的な構成要件により、本発明が解決しようとする第１課題〜第３課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
鉄片の断面積がリング磁石の断面積よりも大きいことを特徴とするカード入れを備えた携帯情報端末ケース１００が開示されている。
○第８の発明の効果
第８の発明によれば、
鉄片の断面積がリング磁石の断面積よりも大きいことという特徴的な構成要件により、本発明が解決しようとする第１課題〜第３課題を達成することができ、当業者予測不可能な顕著な効果を奏することができた。
【図面の簡単な説明】
【０００９】
【図１】図１は、本発明に係る、カード入れを備えた携帯情報端末ケースの正面図である。
【図２】図２は、本発明に係る、カード入れを備えた携帯情報端末ケースの背面図である。
【図３】図３は、本発明に係る、カード入れを備えた携帯情報端末ケースの平面図である。
【図４】図４は、本発明に係る、カード入れを備えた携帯情報端末ケースの底面図である。
【図５】図５は、本発明に係る、カード入れを備えた携帯情報端末ケースの右側面図である。
【図６】図６は、本発明に係る、カード入れを備えた携帯情報端末ケースの左側面図である。
【図７】図６は、本発明に係る、カード入れを備えた携帯情報端末ケースの正面右上から見た斜視図である。
【図８】図８は、本発明に係る、カード入れを備えた携帯情報端末ケースの背面右上から見た斜視図である。
【図９】図９は、本発明に係る、カード入れを備えた携帯情報端末ケースの開いた状態を表す正面図である。
【図１０】図１０は、本発明に係る、カード入れを備えた携帯情報端末ケースの開いた状態を表す背面図である。
【図１１】図１１は、本発明に係る、カード入れを備えた携帯情報端末ケースの開いた状態を表す正面図である。
【図１２】図１２は、本発明に係る、カード入れを備えた携帯情報端末ケースの開いた状態を表す背面図である。
【図１３】図１３は、本発明に係る、カード入れを備えた携帯情報端末ケースを閉じた状態から開いた状態にする方法を示す図である。（Ａ）図は、本発明に係る、カード入れを備えた携帯情報端末ケースを閉じた状態を示す図である。（Ｂ）図は、Ａ面部が親指を入れることにより中央部変形して隙間部分Ｓが広がることによって、片手だけで、閉じた状態から開いた状態にする方法を示す図である。（Ｃ）図は、本発明に係る、カード入れを備えた携帯情報端末ケースを開いた状態を示す図である。
【図１４】図１４は、本発明に係る、カード入れを備えた携帯情報端末ケースにおいて、第１の留め具Ｍ１と第２の留め具Ｍ２が当接することによって、閉じた状態であっても隙間部Ｓが確保されているを表す図である。隙間部Ｓが確保されることによって、親指の一部が隙間部Ｓに入り、Ａ面部が親指を入れることにより中央部変形して隙間部分Ｓが広がることによって、片手だけで、閉じた状態から開いた状態にすることができる。
【図１５】図１５は、本発明に係る、カード入れを備えた携帯情報端末ケースを上下逆さにした場合であっても、カードｃｄ上辺が留め具Ｍ２に寸法的に当たることを示している図である。
【図１６】図１６は、本発明に係る、カード入れを備えた携帯情報端末ケースの丸磁石ＣＭ及びキャップｃａｐを被せられた丸磁石Ｃを表す図である。（Ａ）図は、カード入れを備えた携帯情報端末ケースの丸磁石ＣＭを表す図である。（Ｂ）図は、カード入れを備えた携帯情報端末ケースのキャップｃａｐを被せられた丸磁石Ｃを表す図である。
【図１７】図１７は、本発明に係る、カード入れを備えた携帯情報端末ケースにおいて、一対の留め具の位置のズレδを、磁石力Ｆにより自動的に修正することを示す模式図である。図は、本発明に係る、カード入れを備えた携帯情報端末ケースが寸法誤差０で理想的に製造された場合で、一対の留め具の位置のズレδが０の場合を表す図である。（Ｂ）図は、一対の留め具の位置のズレδが生じていても、磁石力Ｆにより自動的にズレδを修正することを示す模式図である。
【符号の説明】
【００１０】
２０……ケース本体
１０……二つ折り形式のカード入れ（カード入れ）
１００……携帯情報端末ケース
Ｐ……接合部
Ｍ１……第１の留め具（留め具）
Ｍ２……第２の留め具（留め具）
Ｍ３……第３の留め具（留め具）
Ｍ４……第４の留め具（留め具）
ＣＭ……丸磁石
ｃａｐ……キャップ
ｐｔ……ポケット部
Ｏ……挿入口
ｃｄ……カード
【図１】
2018126223.tif 000003
【図２】
2018126223.tif 000004
【図３】
2018126223.tif 000005
【図４】
2018126223.tif 000006
【図５】
2018126223.tif 000007
【図６】
2018126223.tif 000008
【図７】
2018126223.tif 000009
【図８】
2018126223.tif 000010
【図９】
2018126223.tif 000011
【図１０】
2018126223.tif 000012
【図１１】
2018126223.tif 000013
【図１２】
2018126223.tif 000014
【図１３】
2018126223.tif 000015
【図１４】
2018126223.tif 000016
【図１５】
2018126223.tif 000017
【図１６】
2018126223.tif 000018
【図１７】
2018126223.tif 000019
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
ケース本体２０と二つ折り形式のカード入れ１０からなるカード入れを備えた携帯情報端末ケース１００において、二つ折り形式のカード入れ１０のＡ面部とＢ面部の接合部Ｐがピン接合され、Ｂ面部の背面側とケース本体２０の正面側とが張り合わせてなり、Ａ面部の背面側に第１の留め具Ｍ１と第２の留め具Ｍ２とを設けて、Ｂ面部の正面側に、第１の留め具Ｍに対応する第３の留め具Ｍ３と、第２の留め具Ｍ２に対応する第４の留め具Ｍ４とを設けてなり、第１の留め具Ｍ１〜第４の留め具Ｍ４は、丸磁石ＣＭからなり、第１の留め具Ｍ１と第３の留め具Ｍ３は、両留め具が閉じて係合する場合、両留め具の磁極中心線及び当該磁極中心線の向きが一致し、第２の留め具Ｍ２と第４の留め具Ｍ４は、両留め具の磁極中心線及び当該磁極中心線の向きが一致すると共に、Ｂ面部の正面側にポケット部ｐｔが、カードを取り容れる挿入口Ｏを有してなり、
第１の留め具Ｍ及び第３の留め具Ｍ３は、挿入口Ｏより取り容れたカード上辺より上に位置し、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とするカード入れを備えた携帯情報端末ケース。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
【請求項２】
二つ折り形式のカード入れを閉める場合、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、二つ折り形式のカード入れを開ける場合、隙間部分Ｓに指の一部を入れて指をＡ面部に引掛けて指の力が磁石力に打ち勝って開けることができることを特徴とする請求項１に記載されたカード入れを備えた携帯情報端末ケース。
【請求項３】
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とする請求項１〜２の何れかに記載されたカード入れを備えた携帯情報端末ケース。
ここに、第１の留め具Ｍ１〜第４の留め具Ｍ４の磁極中心線とは、丸磁石ＣＭのＳ極の中心とＮ極の中心を通る線をいう。
【請求項４】
第１の留め具Ｍ１〜第４の留め具Ｍ４が、キャップｃａｐを被せられた丸磁石ＣＭからなることを特徴とする請求項１〜３の何れかに記載されたカード入れを備えた携帯情報端末ケース。
【請求項５】
Ａ面部の背面側又はＢ面部の正面側にポケット部ｐｔが、カードを取り容れる挿入口Ｏを複数有することを特徴とする請求項１〜４の何れかに記載されたカード入れを備えた携帯情報端末ケース。
【手続補正２】
【補正対象書類名】明細書
【補正対象項目名】全文
【補正方法】変更
【補正の内容】
【発明の詳細な説明】
【技術分野】
【０００１】
本発明は、カード入れを備えた携帯情報端末ケースに関する。
【背景技術】
【０００２】
携帯情報端末を収納する携帯情報端末ケースは、財布よりも頻繁に手にするようになり、カード（ＩＣカード等）を携帯情報端末ケースに収納して使用する必要性が高まってきた。本発明は、かかる技術背景に鑑みて創作されたものである。
二つ折り形式のカード入れを閉める場合、留め具が従来技術のホックの場合、ホックの雄雌の位置がズレて、両手でズレを修正しつつ、ホックを押して留めなければならないという欠点が想定された。
また、二つ折り形式のカード入れにカードをスムーズに収納するためには、カードポケットをカードより大きめにする必要が有るが、大きめにするとカードを収納した二つ折り形式のカード入れが上下逆さになった場合、カードが抜け落ちて紛失するおそれがあるという欠点が生じる。
【発明の開示】
【０００３】
発明者は、かかる従来技術の欠点に鑑み鋭意研究した結果、本願発明を完成させた。
【先行技術文献】
【特許文献】
【０００４】
本願発明に係るカード入れを備えた携帯情報端末ケースについて、ＦＩ、キーワード検索を行ったところ、本件発明（特許請求１〜５の何れかに記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
かかる欠点を是正すべく、一対の留め具の位置のズレを人の手に頼るのではなく自動的に修正し、かつ、片手のみで、二つ折り形式のカード入れを閉めることができるカード入れを備えた携帯情報端末ケースを提供することである。
○本発明が解決しようとする第２課題
本発明が解決しようとする第２課題は、
かかる欠点を是正すべく、二つ折り形式のカード入れを備えた情報端末ケースにおいて、カード入れの開閉がワンタッチででき、カードの収納がスムーズにでき、カード入れに収納したカードがカード入れから抜け落ちて紛失することがないようにしたカード入れを備えた携帯情報端末ケースを提供することである。
○本発明が解決しようとする第３課題
本発明が解決しようとする第３課題は、
従来の複数のカードを入れるカード入れは複数のポケット備えていて、複数のポケットの材料の厚み分嵩張ることになるという欠点があったが、複数のポケットの材料の厚み分嵩張ることがなく、複数のカードを収納することができるカード入れを備えた携帯情報端末ケースを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○カード入れを備えた携帯情報端末ケース１００とは、ケース本体２０と二つ折り形式のカード入れ１０からなる携帯情報端末を収納するケースをいう。
携帯情報端末とは、スケジュール、ＴｏＤｏ、住所録、メモなどの情報を携帯して扱うための小型機器をいう。Ｐｅｒｓｏｎａｌ  Ｄｉｇｉｔａｌ  Ａｓｓｉｓｔａｎｔ（Ｐｅｒｓｏｎａｌ  Ｄａｔａ  Ａｓｓｉｓｔａｎｔと表現されることもある）を略してＰＤＡと一般に呼ばれることが多い。ＰＤＡは、アップル・ニュートンの開発を推進した１９９０年代初頭のアップルコンピュータＣＥＯだったジョン・スカリーによる造語である。
２０００年代のＰＤＡは静止画閲覧、ネットアクセス、動画再生など多くの機能を実装したマルチメディア端末となった。２０１０年代現在のＰＤＡは、メディアプレーヤやタブレット端末およびスマートフォンなどの携帯デバイスの市場に吸収された形となっている。
○ケース本体２０とは、携帯情報端末を収納するためのケースの本体をいう。本願発明では、ケース本体２０は、背面板、左右側面板の３面板、あるいは、
背面板、平面板、底面板、左右側面板の５面板から構成される。
○カード入れ１０とは、カードｃｄを収納するためのケースをいう。
カード入れ１０とは、本発明では、Ａ面部とＢ面部を有する二つ折り形式のカード入れであり、Ａ面部とＢ面部の接合部Ｐがピン接合されてなり、本と同様、面部とＢ面部が開き閉じるようになっている。
○カードｃｄとは、小さな四角い紙（特に、ある規格に従ってそろえたもの）、あるいは「クレジットカード」、「キャッシュカード」、「ＩＣカード」、「テレホンカード」等をいう。
○Ａ面部とは、カード入れ１０の一方の面部をいい、Ａ面部は、カードを収納するための１又は２以上のポケットｐｔを有する。ポケットｐｔは、その周囲をＡ面部の背面側に縫い付けられ等によりＡ面部の背面側に接合されてなり、複数の挿入口Ｏ（カードを挿入したり取り出したりするための挿入口Ｏ）を形成している。
○Ｂ面部とは、カード入れ１０の他方の面部をいい、Ｂ面部は、カードを収納するための１又は２以上のポケットを有する。ポケットｐｔは、その周囲をＢ面部の正面側に縫い付けられて、かつ、複数の挿入口Ｏを設けられている。
そして、Ｂ面部の背面側とケース本体２０の正面側とが張り合わせてなる。
○接合部Ｐとは、二つ折り形式のカード入れ１０のＡ面部とＢ面部の接合部Ｐをピン接合するための接合部であり、ピン接合するために本の背表紙のように弾性変形可能になっている。このため、二つ折り形式のカード入れ１０のＡ面部とＢ面部を接合部Ｐを介して開閉すれば、Ａ面部とＢ面部が不可避的に多少ズレる。
○丸磁石ＣＭとは、外径ｄｏ×高さｈの断面が外径ｄｏの円形状で両端面が平行で円柱状磁石であって、両端面の一面がＮ極又はＳ極、両端面の他面がＳ極又はＮ極である磁石をいう（図１６（Ａ）図）。
丸磁石ＣＭの中心部に貫通穴があけられたものもあり、留め具を丸磁石ＣＭの貫通穴に通すことにより、丸磁石ＣＭがＡ面部及び／又はＢ面部に設置される場合が例示される。
○ネオジム磁石（英語：Ｎｅｏｄｙｍｉｕｍ  ｍａｇｎｅｔ）は、ネオジム、鉄、ホウ素を主成分とする希土類磁石（レアアース磁石）の一つである。ネオジム磁石は、永久磁石のうちでは最も強力とされている。
○キャップｃａｐとは、磁石と組み合わせることにより、磁気回路が構成され磁束が必要な場所に集中させて、磁石単体より５〜１０倍の吸着力は大きく向上させるための鉄をいう（図１６（Ｂ）図）。
キャップｃａｐとは、本願発明において、直径ｄ、高さｈの丸磁石ＣＭに一体的に被せられた磁性体をいう。
キャップｃａｐを用いることにより、磁石単体より５〜１０倍の吸着力は大きく向上させることができるので、本発明課題をより十分かつより確実に達成することができると共に、第１の磁石Ｍ１〜第４の磁石Ｍ４をよりコンパクトにすることができる。
○フェライト磁石（Ｆｅｒｒｉｔｅ  ｍａｇｎｅｔ）とは、フェライト磁性体による磁石である。特に強磁性のハード・フェライトが、一般にいう磁石の性質を有する。軟磁性のソフト・フェライトは（軟磁性であるため）フェライトコア等に使われる。
○第１の留め具Ｍ１〜第４の留め具Ｍ４とは、二つ折り形式のカード入れ１０のＡ面部とＢ面部を閉じて係止する器具をいう。
Ａ面部の背面部に第１の留め具Ｍ１と第２の留め具Ｍ２とを設けて、Ｂ面部の正面側に、第１の留め具Ｍに対応する第３の留め具Ｍ３と、第２の留め具Ｍ２に対応する第４の留め具Ｍ４とを設けてなる。
すなわち、Ａ面部の背面部の第１の留め具Ｍ１とＢ面部の正面側の第３の留め具Ｍ３とが一対となり、Ａ面部の背面部の第２の留め具Ｍ２とＢ面部の正面側の第４の留め具Ｍ４とが一対になる。
第１の留め具Ｍ１〜第４の留め具Ｍ４が、丸磁石からなる場合と、丸磁石又は鉄片からなる場合の２つの場合がある。  
（１）前者の場合、
第１の留め具Ｍ１と第３の留め具Ｍ３は、両留め具が係合する場合、両留め具の両留め具の磁極中心線及び当該磁極中心線の向きが一致し、第２の留め具Ｍ２と第４の留め具Ｍ４は、両留め具の両留め具の磁極中心線及び当該磁極中心線の向きが一致している。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
（２）後者の場合、
第１の留め具Ｍ１と第３の留め具Ｍ３は、両留め具の一方が磁石であれば他方が鉄片であり、丸磁石と鉄片の接触面における磁石の極性は問わない。
○留め具の磁極中心線とは、丸磁石ＣＭのＳ極の中心とＮ極の中心を通る線をいう。
○留め具の磁極中心線が一致するとは、２つの留め具の磁極中心線が重なることをいう。
○両留め具が閉じて係合する場合とは、Ａ面部とＢ面部が接合部Ｐを介して閉じて、両留め具が係合してＡ面部とＢ面部が留められることをいう。
具体的には、第１の留め具Ｍ１〜第４の留め具Ｍ４が、丸磁石からなる場合と、丸磁石又は鉄片からなる場合の２つの場合において、磁力により両留め具が離れないように留めることをいう。
○カード入れを備えた携帯情報端末ケース１００を上下逆さにした場合とは、カード入れを備えた携帯情報端末ケース１００を上下逆さにして、収納されたカードに最も落下して紛失しやすいように重力が作用する状況を造ることであり、そのような状況にあっても、第１の留め具Ｍ１及び／又は第３の留め具Ｍ３により、係止されて外に落下してしまわない。
○隙間部分Ｓとは、Ａ面部とＢ面部が接合部Ｐを介して閉じた場合、Ａ面部とＢ面部を密着させず、Ａ面部の背面側とＢ面部の正面側の間に第１の留め具Ｍ１と第３の留め具Ｍ３、及び、第２の留め具Ｍ２と第４の留め具Ｍ４が係合することにより生じるＡ面部の背面側とＢ面部の正面側の間の空間部分をいう。
上記の隙間部分Ｓを確保することにより、二つ折り形式のカード入れを開ける場合、隙間部分Ｓに指の一部を入れ指をＡ面部に引掛けて指の力が磁石力に打ち勝って開けることができるという特徴的構成要件を備えたカード入れを備えた携帯情報端末ケース１００を提供することができた。
○丸磁石の力で自動的にとは、一対の留め具の位置のズレを人の手を介して修正する必要がなく、丸磁石の力のみで自動的に修正することが可能であることをいう。
○一対の留め具の位置のズレδ（ｃｍ）とは、一対の留め具の中心軸の線が一致する状態から一対の留め具の中心軸の線の最短距離をいう。
留め具が丸磁石の場合、磁極中心線との留め具の中心軸の線とは一致する。
課題を解決するための手段は、本願の特許請求の範囲の各請求項に記載の発明であり、その具体的な解決手段は、以下の通りである。
○第１の発明（請求項１に記載の発明）
●上記の課題を解決するための第１の発明（請求項１に記載の発明）は、
ケース本体２０と二つ折り形式のカード入れ１０からなるカード入れを備えた携帯情報端末ケース１００において、二つ折り形式のカード入れ１０のＡ面部とＢ面部の接合部Ｐがピン接合され、Ｂ面部の背面側とケース本体２０の正面側とが張り合わせてなり、Ａ面部の背面側に第１の留め具Ｍ１と第２の留め具Ｍ２とを設けて、Ｂ面部の正面側に、第１の留め具Ｍに対応する第３の留め具Ｍ３と、第２の留め具Ｍ２に対応する第４の留め具Ｍ４とを設けてなり、第１の留め具Ｍ１〜第４の留め具Ｍ４は、丸磁石ＣＭからなり、第１の留め具Ｍ１と第３の留め具Ｍ３は、両留め具が閉じて係合する場合、両留め具の磁極中心線及び当該磁極中心線の向きが一致し、第２の留め具Ｍ２と第４の留め具Ｍ４は、両留め具の磁極中心線及び当該磁極中心線の向きが一致すると共に、Ｂ面部の正面側にポケット部ｐｔが、カードを取り容れる挿入口Ｏを有してなり、
第１の留め具Ｍ及び第３の留め具Ｍ３は、挿入口Ｏより取り容れたカード上辺より上に位置し、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とするカード入れを備えた携帯情報端末ケースである。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
○第２の発明（請求項２に記載の発明）
●上記の課題を解決するための第２の発明（請求項２に記載の発明）は、
二つ折り形式のカード入れを閉める場合、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、二つ折り形式のカード入れを開ける場合、隙間部分Ｓに指の一部を入れて指をＡ面部に引掛けて指の力が磁石力に打ち勝って開けることができることを特徴とする請求項１に記載されたカード入れを備えた携帯情報端末ケースである。
○第３の発明（請求項３に記載の発明）
●上記の課題を解決するための第３の発明（請求項３に記載の発明）は、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とする請求項１〜２の何れかに記載されたカード入れを備えた携帯情報端末ケースである。
ここに、第１の留め具Ｍ１〜第４の留め具Ｍ４の磁極中心線とは、丸磁石ＣＭのＳ極の中心とＮ極の中心を通る線をいう。
○第４の発明（請求項４に記載の発明）
●上記の課題を解決するための第４の発明（請求項４に記載の発明）は、
第１の留め具Ｍ１〜第４の留め具Ｍ４が、キャップｃａｐを被せられた丸磁石ＣＭからなることを特徴とする請求項１〜３の何れかに記載されたカード入れを備えた携帯情報端末ケースである。
○第５の発明（請求項５に記載の発明）
●上記の課題を解決するための第５の発明（請求項５に記載の発明）は、
Ａ面部の背面側又はＢ面部の正面側にポケット部ｐｔが、カードを取り容れる挿入口Ｏを複数有することを特徴とする請求項１〜４の何れかに記載されたカード入れを備えた携帯情報端末ケースである。
【０００７】
本発明に係る、カード入れを備えた携帯情報端末ケースは、上記のような特徴的構成要件から構成され、特徴的構成要件に応じた、以下のような本願発明特有の効果を奏する。
また、上記の各発明に応じた、上記のような特徴的構成要件から構成されたカード入れを備えた携帯情報端末ケースによれば、本願発明の課題を十分解消することができた。
○第１の発明の効果
第１の発明によれば、
ケース本体２０と二つ折り形式のカード入れ１０からなるカード入れを備えた携帯情報端末ケース１００において、二つ折り形式のカード入れ１０のＡ面部とＢ面部の接合部Ｐがピン接合され、Ｂ面部の背面側とケース本体２０の正面側とが張り合わせてなり、Ａ面部の背面側に第１の留め具Ｍ１と第２の留め具Ｍ２とを設けて、Ｂ面部の正面側に、第１の留め具Ｍに対応する第３の留め具Ｍ３と、第２の留め具Ｍ２に対応する第４の留め具Ｍ４とを設けてなり、第１の留め具Ｍ１〜第４の留め具Ｍ４は、丸磁石ＣＭからなり、第１の留め具Ｍ１と第３の留め具Ｍ３は、両留め具が閉じて係合する場合、両留め具の磁極中心線及び当該磁極中心線の向きが一致し、第２の留め具Ｍ２と第４の留め具Ｍ４は、両留め具の磁極中心線及び当該磁極中心線の向きが一致すると共に、Ｂ面部の正面側にポケット部ｐｔが、カードを取り容れる挿入口Ｏを有してなり、
第１の留め具Ｍ及び第３の留め具Ｍ３は、挿入口Ｏより取り容れたカード上辺より上に位置し、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とするカード入れを備えた携帯情報端末ケース。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
という特徴的な構成要件により、本発明が解決しようとする第１課題〜第３課題を達成することができ、当業者予測不可能な顕著な効果を奏することができた。
○第２の発明の効果
第２の発明によれば、
二つ折り形式のカード入れを閉める場合、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、二つ折り形式のカード入れを開ける場合、隙間部分Ｓに指の一部を入れて指をＡ面部に引掛けて指の力が磁石力に打ち勝って開けることができることという特徴的な構成要件により、本発明が解決しようとする第１課題〜第３課題を達成することができ、当業者予測不可能な顕著な効果を奏することができた。
○第３の発明の効果
第３の発明によれば、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることという特徴的な構成要件により、本発明が解決しようとする第１課題〜第３課題を達成することができ、当業者予測不可能な顕著な効果を奏することができた。
○第４の発明の効果
第４の発明によれば、
第１の留め具Ｍ１〜第４の留め具Ｍ４が、キャップｃａｐを被せられた丸磁石ＣＭからなることという特徴的な構成要件により、本発明が解決しようとする第１課題〜第３課題を達成することができ、当業者予測不可能な顕著な効果を奏することができた。
○第５の発明の効果
第５の発明によれば、
Ａ面部の背面側又はＢ面部の正面側にポケット部ｐｔが、カードを取り容れる挿入口Ｏを複数有することという特徴的な構成要件により、本発明が解決しようとする第１課題〜第３課題を達成することができ、当業者予測不可能な顕著な効果を奏することができた。
【発明を実施するための最良の形態】
【０００８】
以下、本発明に係る、カード入れを備えた携帯情報端末ケースに関する最良の実施形態について、図面を参照しながら説明する。
［図１］図１は、本発明に係る、カード入れを備えた携帯情報端末ケースの正面図である。
［図２］図２は、本発明に係る、カード入れを備えた携帯情報端末ケースの背面図である。
［図３］図３は、本発明に係る、カード入れを備えた携帯情報端末ケースの平面図である。
［図４］図４は、本発明に係る、カード入れを備えた携帯情報端末ケースの底面図である。
［図５］図５は、本発明に係る、カード入れを備えた携帯情報端末ケースの右側面図である。
［図６］図６は、本発明に係る、カード入れを備えた携帯情報端末ケースの左側面図である。
［図７］図６は、本発明に係る、カード入れを備えた携帯情報端末ケースの正面右上から見た斜視図である。
［図８］図８は、本発明に係る、カード入れを備えた携帯情報端末ケースの背面右上から見た斜視図である。
［図９］図９は、本発明に係る、カード入れを備えた携帯情報端末ケースの開いた状態を表す一方の図である。
［図１０］図１０は、本発明に係る、カード入れを備えた携帯情報端末ケースの開いた状態を表す他方の図である。
［図１１］図１１は、本発明に係る、カード入れを備えた携帯情報端末ケースの開いた状態を表す一方の図である。
［図１２］図１２は、本発明に係る、カード入れを備えた携帯情報端末ケースの開いた状態を表す他方の図である。
［図１３］図１３は、本発明に係る、カード入れを備えた携帯情報端末ケースを閉じた状態から開いた状態にする方法を示す図である。（Ａ）図は、本発明に係る、カード入れを備えた携帯情報端末ケースを閉じた状態を示す図である。（Ｂ）図は、Ａ面部が親指を入れることにより中央部変形して隙間部分Ｓが広がることによって、片手だけで、閉じた状態から開いた状態にする方法を示す図である。（Ｃ）図は、本発明に係る、カード入れを備えた携帯情報端末ケースを開いた状態を示す図である。
［図１４］図１４は、本発明に係る、カード入れを備えた携帯情報端末ケースにおいて、第１の留め具Ｍ１と第２の留め具Ｍ２が当接することによって、閉じた状態であっても隙間部Ｓが確保されていることを表す図である。隙間部Ｓが確保されることによって、親指の一部が隙間部Ｓに入り、Ａ面部が親指を入れることにより中央部変形して隙間部分Ｓが広がることによって、片手だけで、閉じた状態から開いた状態にすることができる。
［図１５］図１５は、本発明に係る、カード入れを備えた携帯情報端末ケースを上下逆さにした場合であっても、カードｃｄ上辺が留め具Ｍ２に寸法的に当たることを示している図である。
［図１６］図１６は、本発明に係る、カード入れを備えた携帯情報端末ケースの丸磁石ＣＭ及びキャップｃａｐを被せられた丸磁石Ｃを表す図である。（Ａ）図は、カード入れを備えた携帯情報端末ケースの丸磁石ＣＭを表す図である。（Ｂ）図は、カード入れを備えた携帯情報端末ケースのキャップｃａｐを被せられた丸磁石Ｃを表す図である。
［図１７］図１７は、本発明に係る、カード入れを備えた携帯情報端末ケースにおいて、一対の留め具の位置のズレδを、磁石力Ｆにより自動的に修正することを示す模式図である。図は、本発明に係る、カード入れを備えた携帯情報端末ケースが寸法誤差０で理想的に製造された場合で、一対の留め具の位置のズレδが０の場合を表す図である。（Ｂ）図は、一対の留め具の位置のズレδが生じていても、磁石力Ｆにより自動的にズレδを修正することを示す模式図である。
以下、本発明に係る、カード入れを備えた携帯情報端末ケースについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
ケース本体２０と二つ折り形式のカード入れ１０からなるカード入れを備えた携帯情報端末ケース１００において、二つ折り形式のカード入れ１０のＡ面部とＢ面部の接合部Ｐがピン接合され、Ｂ面部の背面側とケース本体２０の正面側とが張り合わせてなり、Ａ面部の背面側に第１の留め具Ｍ１と第２の留め具Ｍ２とを設けて、Ｂ面部の正面側に、第１の留め具Ｍに対応する第３の留め具Ｍ３と、第２の留め具Ｍ２に対応する第４の留め具Ｍ４とを設けてなり、第１の留め具Ｍ１〜第４の留め具Ｍ４は、丸磁石ＣＭからなり、第１の留め具Ｍ１と第３の留め具Ｍ３は、両留め具が閉じて係合する場合、両留め具の磁極中心線及び当該磁極中心線の向きが一致し、第２の留め具Ｍ２と第４の留め具Ｍ４は、両留め具の磁極中心線及び当該磁極中心線の向きが一致すると共に、Ｂ面部の正面側にポケット部ｐｔが、カードを取り容れる挿入口Ｏを有してなり、
第１の留め具Ｍ及び第３の留め具Ｍ３は、挿入口Ｏより取り容れたカード上辺より上に位置し、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とするカード入れを備えた携帯情報端末ケースが開示されている。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
○第１の発明の効果
第１の発明によれば、
ケース本体２０と二つ折り形式のカード入れ１０からなるカード入れを備えた携帯情報端末ケース１００において、二つ折り形式のカード入れ１０のＡ面部とＢ面部の接合部Ｐがピン接合され、Ｂ面部の背面側とケース本体２０の正面側とが張り合わせてなり、Ａ面部の背面側に第１の留め具Ｍ１と第２の留め具Ｍ２とを設けて、Ｂ面部の正面側に、第１の留め具Ｍに対応する第３の留め具Ｍ３と、第２の留め具Ｍ２に対応する第４の留め具Ｍ４とを設けてなり、第１の留め具Ｍ１〜第４の留め具Ｍ４は、丸磁石ＣＭからなり、第１の留め具Ｍ１と第３の留め具Ｍ３は、両留め具が閉じて係合する場合、両留め具の磁極中心線及び当該磁極中心線の向きが一致し、第２の留め具Ｍ２と第４の留め具Ｍ４は、両留め具の磁極中心線及び当該磁極中心線の向きが一致すると共に、Ｂ面部の正面側にポケット部ｐｔが、カードを取り容れる挿入口Ｏを有してなり、
第１の留め具Ｍ及び第３の留め具Ｍ３は、挿入口Ｏより取り容れたカード上辺より上に位置し、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とするカード入れを備えた携帯情報端末ケース。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
という特徴的な構成要件により、本発明が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
二つ折り形式のカード入れを閉める場合、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、二つ折り形式のカード入れを開ける場合、隙間部分Ｓに指の一部を入れて指をＡ面部に引掛けて指の力が磁石力に打ち勝って開けることができることを特徴とする請求項１に記載されたカード入れを備えた携帯情報端末ケースが開示されている
○第２の発明の効果
第２の発明によれば、
二つ折り形式のカード入れを閉める場合、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、二つ折り形式のカード入れを開ける場合、隙間部分Ｓに指の一部を入れて指をＡ面部に引掛けて指の力が磁石力に打ち勝って開けることができることという特徴的な構成要件により、本発明が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とする請求項１〜２の何れかに記載されたカード入れを備えた携帯情報端末ケースが開示されている。
ここに、第１の留め具Ｍ１〜第４の留め具Ｍ４の磁極中心線とは、丸磁石ＣＭのＳ極の中心とＮ極の中心を通る線をいう。
○第３の発明の効果
第３の発明によれば、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とする請求項１〜２の何れかに記載されたカード入れを備えた携帯情報端末ケース。
ここに、第１の留め具Ｍ１〜第４の留め具Ｍ４の磁極中心線とは、丸磁石ＣＭのＳ極の中心とＮ極の中心を通る線をいう。
という特徴的な構成要件により、本発明が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
第１の留め具Ｍ１〜第４の留め具Ｍ４が、キャップｃａｐを被せられた丸磁石ＣＭからなることを特徴とする請求項１〜３の何れかに記載されたカード入れを備えた携帯情報端末ケースが開示されている。
○第４の発明の効果
第４の発明によれば、
第１の留め具Ｍ１〜第４の留め具Ｍ４が、キャップｃａｐを被せられた丸磁石ＣＭからなることという特徴的な構成要件により、本発明が解決しようとする第１課題〜第３課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
Ａ面部の背面側又はＢ面部の正面側にポケット部ｐｔが、カードを取り容れる挿入口Ｏを複数有することを特徴とする請求項１〜４の何れかに記載されたカード入れを備えた携帯情報端末ケースが開示されている。
○第５の発明の効果
第５の発明によれば、
Ａ面部の背面側又はＢ面部の正面側にポケット部ｐｔが、カードを取り容れる挿入口Ｏを複数有することという特徴的な構成要件により、本発明が解決しようとする第１課題〜第３課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
Ａ面部又はＢ面部にポケット部ｐｔが、カードを取り容れる挿入口Ｏを複数有することを特徴とする請求項１〜５の何れかに記載されたカード入れを備えた携帯情報端末ケースが開示されている。
【図面の簡単な説明】
【０００９】
【図１】図１は、本発明に係る、カード入れを備えた携帯情報端末ケースの正面図である。
【図２】図２は、本発明に係る、カード入れを備えた携帯情報端末ケースの背面図である。
【図３】図３は、本発明に係る、カード入れを備えた携帯情報端末ケースの平面図である。
【図４】図４は、本発明に係る、カード入れを備えた携帯情報端末ケースの底面図である。
【図５】図５は、本発明に係る、カード入れを備えた携帯情報端末ケースの右側面図である。
【図６】図６は、本発明に係る、カード入れを備えた携帯情報端末ケースの左側面図である。
【図７】図６は、本発明に係る、カード入れを備えた携帯情報端末ケースの正面右上から見た斜視図である。
【図８】図８は、本発明に係る、カード入れを備えた携帯情報端末ケースの背面右上から見た斜視図である。
【図９】図９は、本発明に係る、カード入れを備えた携帯情報端末ケースの開いた状態を表す一方の図である。
【図１０】図１０は、本発明に係る、カード入れを備えた携帯情報端末ケースの開いた状態を表す他方の図である。
【図１１】図１１は、本発明に係る、カード入れを備えた携帯情報端末ケースの開いた状態を表す一方の図である。
【図１２】図１２は、本発明に係る、カード入れを備えた携帯情報端末ケースの開いた状態を表す他方の図である。
【図１３】図１３は、本発明に係る、カード入れを備えた携帯情報端末ケースを閉じた状態から開いた状態にする方法を示す図である。（Ａ）図は、本発明に係る、カード入れを備えた携帯情報端末ケースを閉じた状態を示す図である。（Ｂ）図は、Ａ面部が親指を入れることにより中央部変形して隙間部分Ｓが広がることによって、片手だけで、閉じた状態から開いた状態にする方法を示す図である。（Ｃ）図は、本発明に係る、カード入れを備えた携帯情報端末ケースを開いた状態を示す図である。
【図１４】図１４は、本発明に係る、カード入れを備えた携帯情報端末ケースにおいて、第１の留め具Ｍ１と第２の留め具Ｍ２が当接することによって、閉じた状態であっても隙間部Ｓが確保されていることを表す図である。隙間部Ｓが確保されることによって、親指の一部が隙間部Ｓに入り、Ａ面部が親指を入れることにより中央部変形して隙間部分Ｓが広がることによって、片手だけで、閉じた状態から開いた状態にすることができる。
【図１５】図１５は、本発明に係る、カード入れを備えた携帯情報端末ケースを上下逆さにした場合であっても、カードｃｄ上辺が留め具Ｍ２に寸法的に当たることを示している図である。
【図１６】図１６は、本発明に係る、カード入れを備えた携帯情報端末ケースの丸磁石ＣＭ及びキャップｃａｐを被せられた丸磁石Ｃを表す図である。（Ａ）図は、カード入れを備えた携帯情報端末ケースの丸磁石ＣＭを表す図である。（Ｂ）図は、カード入れを備えた携帯情報端末ケースのキャップｃａｐを被せられた丸磁石Ｃを表す図である。
【図１７】図１７は、本発明に係る、カード入れを備えた携帯情報端末ケースにおいて、一対の留め具の位置のズレδを、磁石力Ｆにより自動的に修正することを示す模式図である。図は、本発明に係る、カード入れを備えた携帯情報端末ケースが寸法誤差０で理想的に製造された場合で、一対の留め具の位置のズレδが０の場合を表す図である。（Ｂ）図は、一対の留め具の位置のズレδが生じていても、磁石力Ｆにより自動的にズレδを修正することを示す模式図である。
【符号の説明】
【００１０】
２０……ケース本体
１０……二つ折り形式のカード入れ（カード入れ）
１００……携帯情報端末ケース
Ｐ……接合部
Ｍ１……第１の留め具（留め具）
Ｍ２……第２の留め具（留め具）
Ｍ３……第３の留め具（留め具）
Ｍ４……第４の留め具（留め具）
ＣＭ……丸磁石
ｃａｐ……キャップ
ｐｔ……ポケット部
Ｏ……挿入口
ｃｄ……カード
【手続補正３】
【補正対象書類名】図面
【補正対象項目名】全図
【補正方法】変更
【補正の内容】
【図１】
2018126223.tif 000020
【図２】
2018126223.tif 000021
【図３】
2018126223.tif 000022
【図４】
2018126223.tif 000023
【図５】
2018126223.tif 000024
【図６】
2018126223.tif 000025
【図７】
2018126223.tif 000026
【図８】
2018126223.tif 000027
【図９】
2018126223.tif 000028
【図１０】
2018126223.tif 000029
【図１１】
2018126223.tif 000030
【図１２】
2018126223.tif 000031
【図１３】
2018126223.tif 000032
【図１４】
2018126223.tif 000033
【図１５】
2018126223.tif 000034
【図１６】
2018126223.tif 000035
【図１７】
2018126223.tif 000036
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
少なくとも背面板及び左右側面板からなるケース本体２０と二つ折り形式のカード入れ１０とからなるカード入れを備えた携帯情報端末ケース１００において、
二つ折り形式のカード入れ１０は、ピン接合されたＡ面部とＢ面部から構成され、
ケース本体２０の携帯情報端末が収納される側をケース本体２０の背面側、背面側の反対側をケース本体２０の正面側とし、
携帯情報端末ケース１００は、ケース本体２０の背面板の正面側と二つ折り形式のカード入れ１０のＢ面部とが張り合わされており、
Ｂ面部においては、ケース本体２０の背面板と張り合わされている側をＢ面部の背面側、ケース本体２０の背面板と張り合わされていない側をＢ面部の正面側とし、
Ａ面部においては、携帯情報端末ケース１００を閉じた状態にした場合、Ｂ面部と対向する側をＡ面部の背面側、Ｂ面部と対向する側の反対側をＡ面部の正面側とし、
二つ折り形式のカード入れ１０は、Ａ面部の背面側に設けられた第１の留め具Ｍ１及び第２の留め具Ｍ２と、Ｂ面部の正面側に設けられた第１の留め具Ｍ１に対応する第３の留め具Ｍ３及び第２の留め具Ｍ２に対応する第４の留め具Ｍ４と、Ｂ面部の正面側に設けられ、カードを取り容れる挿入口Ｏを有したポケット部Ｐｔとを備え、
第１の留め具Ｍ１〜第４の留め具Ｍ４は、丸磁石ＣＭからなり、
第１の留め具Ｍ１と第３の留め具Ｍ３は、両留め具が閉じて係合する場合、両留め具の磁極中心線及び当該磁極中心線の向きが一致し、
第２の留め具Ｍ２と第４の留め具Ｍ４は、両留め具が閉じて係合する場合、両留め具の磁極中心線及び当該磁極中心線の向きが一致しており、
第１の留め具Ｍ１及び第３の留め具Ｍ３は、前記ポケット部Ｐｔの挿入口Ｏより取り容れたカード上辺より上に位置し、
携帯情報端末ケース１００は、第１の留め具Ｍ１と第３の留め具Ｍ３、及び、第２の留め具Ｍ２と第４の留め具Ｍ４が係合するとＡ面部の背面側とＢ面部の正面側との間に空間部分である隙間部分Ｓが確保されてなり、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とするカード入れを備えた携帯情報端末ケース。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
【請求項２】
二つ折り形式のカード入れを閉める場合、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、二つ折り形式のカード入れを開ける場合、隙間部分Ｓに指の一部を入れて指をＡ面部に引掛けて指の力が磁石力に打ち勝って開けることができることを特徴とする請求項１に記載されたカード入れを備えた携帯情報端末ケース。
【請求項３】
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とする請求項１〜２の何れかに記載されたカード入れを備えた携帯情報端末ケース。
ここに、第１の留め具Ｍ１〜第４の留め具Ｍ４の磁極中心線とは、丸磁石ＣＭのＳ極の中心とＮ極の中心を通る線をいう。
【請求項４】
第１の留め具Ｍ１〜第４の留め具Ｍ４が、キャップｃａｐを被せられた丸磁石ＣＭからなることを特徴とする請求項１〜３の何れかに記載されたカード入れを備えた携帯情報端末ケース。
【請求項５】
Ａ面部の背面側にポケット部ｐｔが、カードを取り容れる挿入口Ｏを有し、Ｂ面部の正面側にポケット部ｐｔが、カードを取り容れる挿入口Ｏを複数有することを特徴とする請求項１〜４の何れかに記載されたカード入れを備えた携帯情報端末ケース。
【手続補正２】
【補正対象書類名】明細書
【補正対象項目名】全文
【補正方法】変更
【補正の内容】
【発明の詳細な説明】
【技術分野】
【０００１】
本発明は、カード入れを備えた携帯情報端末ケースに関する。
【背景技術】
【０００２】
携帯情報端末を収納する携帯情報端末ケースは、財布よりも頻繁に手にするようになり、カード（ＩＣカード等）を携帯情報端末ケースに収納して使用する必要性が高まってきた。本発明は、かかる技術背景に鑑みて創作されたものである。
二つ折り形式のカード入れを閉める場合、留め具が従来技術のホックの場合、ホックの雄雌の位置がズレて、両手でズレを修正しつつ、ホックを押して留めなければならないという欠点が想定された。
また、二つ折り形式のカード入れにカードをスムーズに収納するためには、カードポケットをカードより大きめにする必要が有るが、大きめにするとカードを収納した二つ折り形式のカード入れが上下逆さになった場合、カードが抜け落ちて紛失するおそれがあるという欠点が生じる。
【発明の開示】
【０００３】
発明者は、かかる従来技術の欠点に鑑み鋭意研究した結果、本願発明を完成させた。
【先行技術文献】
【特許文献】
【０００４】
本願発明に係るカード入れを備えた携帯情報端末ケースについて、ＦＩ、キーワード検索を行ったところ、本件発明（特許請求１〜５の何れかに記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
かかる欠点を是正すべく、一対の留め具の位置のズレを人の手に頼るのではなく自動的に修正し、かつ、片手のみで、二つ折り形式のカード入れを閉めることができるカード入れを備えた携帯情報端末ケースを提供することである。
○本発明が解決しようとする第２課題
本発明が解決しようとする第２課題は、
かかる欠点を是正すべく、二つ折り形式のカード入れを備えた情報端末ケースにおいて、カード入れの開閉がワンタッチででき、カードの収納がスムーズにでき、カード入れに収納したカードがカード入れから抜け落ちて紛失することがないようにしたカード入れを備えた携帯情報端末ケースを提供することである。
○本発明が解決しようとする第３課題
本発明が解決しようとする第３課題は、
従来の複数のカードを入れるカード入れは複数のポケット備えていて、複数のポケットの材料の厚み分嵩張ることになるという欠点があったが、複数のポケットの材料の厚み分嵩張ることがなく、複数のカードを収納することができるカード入れを備えた携帯情報端末ケースを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○カード入れを備えた携帯情報端末ケース１００とは、ケース本体２０と二つ折り形式のカード入れ１０からなる携帯情報端末を収納するケースをいう。
携帯情報端末とは、スケジュール、ＴｏＤｏ、住所録、メモなどの情報を携帯して扱うための小型機器をいう。Ｐｅｒｓｏｎａｌ  Ｄｉｇｉｔａｌ  Ａｓｓｉｓｔａｎｔ（Ｐｅｒｓｏｎａｌ  Ｄａｔａ  Ａｓｓｉｓｔａｎｔと表現されることもある）を略してＰＤＡと一般に呼ばれることが多い。ＰＤＡは、アップル・ニュートンの開発を推進した１９９０年代初頭のアップルコンピュータＣＥＯだったジョン・スカリーによる造語である。
２０００年代のＰＤＡは静止画閲覧、ネットアクセス、動画再生など多くの機能を実装したマルチメディア端末となった。２０１０年代現在のＰＤＡは、メディアプレーヤやタブレット端末およびスマートフォンなどの携帯デバイスの市場に吸収された形となっている。
○ケース本体２０とは、携帯情報端末を収納するためのケースの本体をいう。
本願発明では、ケース本体２０は、背面板、左右側面板の３面板、あるいは、
背面板、平面板、底面板、左右側面板の５面板から構成される。
○カード入れ１０とは、カードｃｄを収納するためのケースをいう。
カード入れ１０とは、本発明では、Ａ面部とＢ面部を有する二つ折り形式のカード入れであり、Ａ面部とＢ面部の接合部Ｐがピン接合されてなり、本と同様、Ａ面部とＢ面部が開き閉じるようになっている。
○カードｃｄとは、小さな四角い紙（特に、ある規格に従ってそろえたもの）、あるいは「クレジットカード」、「キャッシュカード」、「ＩＣカード」、「テレホンカード」等をいう。
○Ａ面部とは、カード入れ１０の一方の面部をいい、Ａ面部は、カードを収納するための１又は２以上のポケットｐｔを有する。ポケットｐｔは、その周囲をＡ面部の背面側に縫い付けられ等によりＡ面部の背面側に接合されてなり、複数の挿入口Ｏ（カードを挿入したり取り出したりするための挿入口Ｏ）を形成している。
○Ｂ面部とは、カード入れ１０の他方の面部をいい、Ｂ面部は、カードを収納するための１又は２以上のポケットを有する。ポケットｐｔは、その周囲をＢ面部の正面側に縫い付けられて、かつ、複数の挿入口Ｏを設けられている。
そして、Ｂ面部の背面側とケース本体２０の正面側とが張り合わせてなる。
○接合部Ｐとは、二つ折り形式のカード入れ１０のＡ面部とＢ面部の接合部Ｐをピン接合するための接合部であり、ピン接合するために本の背表紙のように弾性変形可能になっている。このため、二つ折り形式のカード入れ１０のＡ面部とＢ面部を接合部Ｐを介して開閉すれば、Ａ面部とＢ面部が不可避的に多少ズレる。
○丸磁石ＣＭとは、外径ｄｏ×高さｈの断面が外径ｄｏの円形状で両端面が平行で円柱状磁石であって、両端面の一面がＮ極又はＳ極、両端面の他面がＳ極又はＮ極である磁石をいう（図１６（Ａ）図）。
丸磁石ＣＭの中心部に貫通穴があけられたものもあり、留め具を丸磁石ＣＭの貫通穴に通すことにより、丸磁石ＣＭがＡ面部及び／又はＢ面部に設置される場合が例示される。
○ネオジム磁石（英語：Ｎｅｏｄｙｍｉｕｍ  ｍａｇｎｅｔ）は、ネオジム、鉄、ホウ素を主成分とする希土類磁石（レアアース磁石）の一つである。ネオジム磁石は、永久磁石のうちでは最も強力とされている。
○キャップｃａｐとは、磁石と組み合わせることにより、磁気回路が構成され磁束が必要な場所に集中させて、磁石単体より５〜１０倍の吸着力は大きく向上させるための鉄をいう（図１６（Ｂ）図）。
キャップｃａｐとは、本願発明において、直径ｄ、高さｈの丸磁石ＣＭに一体的に被せられた磁性体をいう。
キャップｃａｐを用いることにより、磁石単体より５〜１０倍の吸着力は大きく向上させることができるので、本発明課題をより十分かつより確実に達成することができると共に、第１の磁石Ｍ１〜第４の磁石Ｍ４をよりコンパクトにすることができる。
○フェライト磁石（Ｆｅｒｒｉｔｅ  ｍａｇｎｅｔ）とは、フェライト磁性体による磁石である。特に強磁性のハード・フェライトが、一般にいう磁石の性質を有する。軟磁性のソフト・フェライトは（軟磁性であるため）フェライトコア等に使われる。
○第１の留め具Ｍ１〜第４の留め具Ｍ４とは、二つ折り形式のカード入れ１０のＡ面部とＢ面部を閉じて係止する器具をいう。
Ａ面部の背面部に第１の留め具Ｍ１と第２の留め具Ｍ２とを設けて、Ｂ面部の正面側に、第１の留め具Ｍに対応する第３の留め具Ｍ３と、第２の留め具Ｍ２に対応する第４の留め具Ｍ４とを設けてなる。
すなわち、Ａ面部の背面部の第１の留め具Ｍ１とＢ面部の正面側の第３の留め具Ｍ３とが一対となり、Ａ面部の背面部の第２の留め具Ｍ２とＢ面部の正面側の第４の留め具Ｍ４とが一対になる。
第１の留め具Ｍ１〜第４の留め具Ｍ４が、丸磁石からなる場合と、丸磁石又は鉄片からなる場合の２つの場合がある。  
（１）前者の場合、
第１の留め具Ｍ１と第３の留め具Ｍ３は、両留め具が係合する場合、両留め具の両留め具の磁極中心線及び当該磁極中心線の向きが一致し、第２の留め具Ｍ２と第４の留め具Ｍ４は、両留め具の両留め具の磁極中心線及び当該磁極中心線の向きが一致している。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
（２）後者の場合、
第１の留め具Ｍ１と第３の留め具Ｍ３は、両留め具の一方が磁石であれば他方が鉄片であり、丸磁石と鉄片の接触面における磁石の極性は問わない。
○留め具の磁極中心線とは、丸磁石ＣＭのＳ極の中心とＮ極の中心を通る線をいう。
○留め具の磁極中心線が一致するとは、２つの留め具の磁極中心線が重なることをいう。
○両留め具が閉じて係合する場合とは、Ａ面部とＢ面部が接合部Ｐを介して閉じて、両留め具が係合してＡ面部とＢ面部が留められることをいう。
具体的には、第１の留め具Ｍ１〜第４の留め具Ｍ４が、丸磁石からなる場合と、丸磁石又は鉄片からなる場合の２つの場合において、磁力により両留め具が離れないように留めることをいう。
○カード入れを備えた携帯情報端末ケース１００を上下逆さにした場合とは、カード入れを備えた携帯情報端末ケース１００を上下逆さにして、収納されたカードに最も落下して紛失しやすいように重力が作用する状況を造ることであり、そのような状況にあっても、第１の留め具Ｍ１及び／又は第３の留め具Ｍ３により、係止されて外に落下してしまわない。
○隙間部分Ｓとは、Ａ面部とＢ面部が接合部Ｐを介して閉じた場合、Ａ面部とＢ面部を密着させず、Ａ面部の背面側とＢ面部の正面側の間に第１の留め具Ｍ１と第３の留め具Ｍ３、及び、第２の留め具Ｍ２と第４の留め具Ｍ４が係合することにより生じるＡ面部の背面側とＢ面部の正面側の間の空間部分をいう。
上記の隙間部分Ｓを確保することにより、二つ折り形式のカード入れを開ける場合、隙間部分Ｓに指の一部を入れ指をＡ面部に引掛けて指の力が磁石力に打ち勝って開けることができるという特徴的構成要件を備えたカード入れを備えた携帯情報端末ケース１００を提供することができた。
○丸磁石の力で自動的にとは、一対の留め具の位置のズレを人の手を介して修正する必要がなく、丸磁石の力のみで自動的に修正することが可能であることをいう。
○一対の留め具の位置のズレδ（ｃｍ）とは、一対の留め具の中心軸の線が一致する状態から一対の留め具の中心軸の線の最短距離をいう。
留め具が丸磁石の場合、磁極中心線との留め具の中心軸の線とは一致する。
課題を解決するための手段は、本願の特許請求の範囲の各請求項に記載の発明であり、その具体的な解決手段は、以下の通りである。
○第１の発明（請求項１に記載の発明）
●上記の課題を解決するための第１の発明（請求項１に記載の発明）は、
少なくとも背面板及び左右側面板からなるケース本体２０と二つ折り形式のカード入れ１０とからなるカード入れを備えた携帯情報端末ケース１００において、
二つ折り形式のカード入れ１０は、ピン接合されたＡ面部とＢ面部から構成され、
ケース本体２０の携帯情報端末が収納される側をケース本体２０の背面側、背面側の反対側をケース本体２０の正面側とし、
携帯情報端末ケース１００は、ケース本体２０の背面板の正面側と二つ折り形式のカード入れ１０のＢ面部とが張り合わされており、
Ｂ面部においては、ケース本体２０の背面板と張り合わされている側をＢ面部の背面側、ケース本体２０の背面板と張り合わされていない側をＢ面部の正面側とし、
Ａ面部においては、携帯情報端末ケース１００を閉じた状態にした場合、Ｂ面部と対向する側をＡ面部の背面側、Ｂ面部と対向する側の反対側をＡ面部の正面側とし、
二つ折り形式のカード入れ１０は、Ａ面部の背面側に設けられた第１の留め具Ｍ１及び第２の留め具Ｍ２と、Ｂ面部の正面側に設けられた第１の留め具Ｍ１に対応する第３の留め具Ｍ３及び第２の留め具Ｍ２に対応する第４の留め具Ｍ４と、Ｂ面部の正面側に設けられ、カードを取り容れる挿入口Ｏを有したポケット部Ｐｔとを備え、
第１の留め具Ｍ１〜第４の留め具Ｍ４は、丸磁石ＣＭからなり、
第１の留め具Ｍ１と第３の留め具Ｍ３は、両留め具が閉じて係合する場合、両留め具の磁極中心線及び当該磁極中心線の向きが一致し、
第２の留め具Ｍ２と第４の留め具Ｍ４は、両留め具が閉じて係合する場合、両留め具の磁極中心線及び当該磁極中心線の向きが一致しており、
第１の留め具Ｍ１及び第３の留め具Ｍ３は、前記ポケット部Ｐｔの挿入口Ｏより取り容れたカード上辺より上に位置し、
携帯情報端末ケース１００は、第１の留め具Ｍ１と第３の留め具Ｍ３、及び、第２の留め具Ｍ２と第４の留め具Ｍ４が係合するとＡ面部の背面側とＢ面部の正面側との間に空間部分である隙間部分Ｓが確保されてなり、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とするカード入れを備えた携帯情報端末ケースである。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
○第２の発明（請求項２に記載の発明）
●上記の課題を解決するための第２の発明（請求項２に記載の発明）は、
二つ折り形式のカード入れを閉める場合、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、二つ折り形式のカード入れを開ける場合、隙間部分Ｓに指の一部を入れて指をＡ面部に引掛けて指の力が磁石力に打ち勝って開けることができることを特徴とする請求項１に記載されたカード入れを備えた携帯情報端末ケースである。
○第３の発明（請求項３に記載の発明）
●上記の課題を解決するための第３の発明（請求項３に記載の発明）は、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とする請求項１〜２の何れかに記載されたカード入れを備えた携帯情報端末ケースである。
ここに、第１の留め具Ｍ１〜第４の留め具Ｍ４の磁極中心線とは、丸磁石ＣＭのＳ極の中心とＮ極の中心を通る線をいう。
○第４の発明（請求項４に記載の発明）
●上記の課題を解決するための第４の発明（請求項４に記載の発明）は、
第１の留め具Ｍ１〜第４の留め具Ｍ４が、キャップｃａｐを被せられた丸磁石ＣＭからなることを特徴とする請求項１〜３の何れかに記載されたカード入れを備えた携帯情報端末ケースである。
○第５の発明（請求項５に記載の発明）
●上記の課題を解決するための第５の発明（請求項５に記載の発明）は、
Ａ面部の背面側にポケット部ｐｔが、カードを取り容れる挿入口Ｏを有し、Ｂ面部の正面側にポケット部ｐｔが、カードを取り容れる挿入口Ｏを複数有することを特徴とする請求項１〜４の何れかに記載されたカード入れを備えた携帯情報端末ケースである。
【０００７】
本発明に係る、カード入れを備えた携帯情報端末ケースは、上記のような特徴的構成要件から構成され、特徴的構成要件に応じた、以下のような本願発明特有の効果を奏する。
また、上記の各発明に応じた、上記のような特徴的構成要件から構成されたカード入れを備えた携帯情報端末ケースによれば、本願発明の課題を十分解消することができた。
○第１の発明の効果
第１の発明によれば、
少なくとも背面板及び左右側面板からなるケース本体２０と二つ折り形式のカード入れ１０とからなるカード入れを備えた携帯情報端末ケース１００において、
二つ折り形式のカード入れ１０は、ピン接合されたＡ面部とＢ面部から構成され、
ケース本体２０の携帯情報端末が収納される側をケース本体２０の背面側、背面側の反対側をケース本体２０の正面側とし、
携帯情報端末ケース１００は、ケース本体２０の背面板の正面側と二つ折り形式のカード入れ１０のＢ面部とが張り合わされており、
Ｂ面部においては、ケース本体２０の背面板と張り合わされている側をＢ面部の背面側、ケース本体２０の背面板と張り合わされていない側をＢ面部の正面側とし、
Ａ面部においては、携帯情報端末ケース１００を閉じた状態にした場合、Ｂ面部と対向する側をＡ面部の背面側、Ｂ面部と対向する側の反対側をＡ面部の正面側とし、
二つ折り形式のカード入れ１０は、Ａ面部の背面側に設けられた第１の留め具Ｍ１及び第２の留め具Ｍ２と、Ｂ面部の正面側に設けられた第１の留め具Ｍ１に対応する第３の留め具Ｍ３及び第２の留め具Ｍ２に対応する第４の留め具Ｍ４と、Ｂ面部の正面側に設けられ、カードを取り容れる挿入口Ｏを有したポケット部Ｐｔとを備え、
第１の留め具Ｍ１〜第４の留め具Ｍ４は、丸磁石ＣＭからなり、
第１の留め具Ｍ１と第３の留め具Ｍ３は、両留め具が閉じて係合する場合、両留め具の磁極中心線及び当該磁極中心線の向きが一致し、
第２の留め具Ｍ２と第４の留め具Ｍ４は、両留め具が閉じて係合する場合、両留め具の磁極中心線及び当該磁極中心線の向きが一致しており、
第１の留め具Ｍ１及び第３の留め具Ｍ３は、前記ポケット部Ｐｔの挿入口Ｏより取り容れたカード上辺より上に位置し、
携帯情報端末ケース１００は、第１の留め具Ｍ１と第３の留め具Ｍ３、及び、第２の留め具Ｍ２と第４の留め具Ｍ４が係合するとＡ面部の背面側とＢ面部の正面側との間に空間部分である隙間部分Ｓが確保されてなり、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とするカード入れを備えた携帯情報端末ケース。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
という特徴的な構成要件により、本発明が解決しようとする第１課題〜第３課題を達成することができ、当業者予測不可能な顕著な効果を奏することができた。
○第２の発明の効果
第２の発明によれば、
二つ折り形式のカード入れを閉める場合、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、二つ折り形式のカード入れを開ける場合、隙間部分Ｓに指の一部を入れて指をＡ面部に引掛けて指の力が磁石力に打ち勝って開けることができることという特徴的な構成要件により、本発明が解決しようとする第１課題〜第３課題を達成することができ、当業者予測不可能な顕著な効果を奏することができた。
○第３の発明の効果
第３の発明によれば、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることという特徴的な構成要件により、本発明が解決しようとする第１課題〜第３課題を達成することができ、当業者予測不可能な顕著な効果を奏することができた。
○第４の発明の効果
第４の発明によれば、
第１の留め具Ｍ１〜第４の留め具Ｍ４が、キャップｃａｐを被せられた丸磁石ＣＭからなることという特徴的な構成要件により、本発明が解決しようとする第１課題〜第３課題を達成することができ、当業者予測不可能な顕著な効果を奏することができた。
○第５の発明の効果
第５の発明によれば、
Ａ面部の背面側にポケット部ｐｔが、カードを取り容れる挿入口Ｏを有し、Ｂ面部の正面側にポケット部ｐｔが、カードを取り容れる挿入口Ｏを複数有することという特徴的な構成要件により、本発明が解決しようとする第１課題〜第３課題を達成することができ、当業者予測不可能な顕著な効果を奏することができた。
【発明を実施するための最良の形態】
【０００８】
以下、本発明に係る、カード入れを備えた携帯情報端末ケースに関する最良の実施形態について、図面を参照しながら説明する。
［図１］図１は、本発明に係る、カード入れを備えた携帯情報端末ケースの正面図である。
［図２］図２は、本発明に係る、カード入れを備えた携帯情報端末ケースの背面図である。
［図３］図３は、本発明に係る、カード入れを備えた携帯情報端末ケースの平面図である。
［図４］図４は、本発明に係る、カード入れを備えた携帯情報端末ケースの底面図である。
［図５］図５は、本発明に係る、カード入れを備えた携帯情報端末ケースの右側面図である。
［図６］図６は、本発明に係る、カード入れを備えた携帯情報端末ケースの左側面図である。
［図７］図６は、本発明に係る、カード入れを備えた携帯情報端末ケースの正面右上から見た斜視図である。
［図８］図８は、本発明に係る、カード入れを備えた携帯情報端末ケースの背面右上から見た斜視図である。
［図９］図９は、本発明に係る、カード入れを備えた携帯情報端末ケースの開いた状態を表す一方の図である。
［図１０］図１０は、本発明に係る、カード入れを備えた携帯情報端末ケースの開いた状態を表す他方の図である。
［図１１］図１１は、本発明に係る、カード入れを備えた携帯情報端末ケースの開いた状態を表す一方の図である。
［図１２］図１２は、本発明に係る、カード入れを備えた携帯情報端末ケースの開いた状態を表す他方の図である。
［図１３］図１３は、本発明に係る、カード入れを備えた携帯情報端末ケースを閉じた状態から開いた状態にする方法を示す図である。（Ａ）図は、本発明に係る、カード入れを備えた携帯情報端末ケースを閉じた状態を示す図である。（Ｂ）図は、Ａ面部が親指を入れることにより中央部変形して隙間部分Ｓが広がることによって、片手だけで、閉じた状態から開いた状態にする方法を示す図である。（Ｃ）図は、本発明に係る、カード入れを備えた携帯情報端末ケースを開いた状態を示す図である。
［図１４］図１４は、本発明に係る、カード入れを備えた携帯情報端末ケースにおいて、第１の留め具Ｍ１と第２の留め具Ｍ２が当接することによって、閉じた状態であっても隙間部Ｓが確保されていることを表す図である。隙間部Ｓが確保されることによって、親指の一部が隙間部Ｓに入り、Ａ面部が親指を入れることにより中央部変形して隙間部分Ｓが広がることによって、片手だけで、閉じた状態から開いた状態にすることができる。
［図１５］図１５は、本発明に係る、カード入れを備えた携帯情報端末ケースを上下逆さにした場合であっても、カードｃｄ上辺が留め具Ｍ２に寸法的に当たることを示している図である。
［図１６］図１６は、本発明に係る、カード入れを備えた携帯情報端末ケースの丸磁石ＣＭ及びキャップｃａｐを被せられた丸磁石Ｃを表す図である。（Ａ）図は、カード入れを備えた携帯情報端末ケースの丸磁石ＣＭを表す図である。（Ｂ）図は、カード入れを備えた携帯情報端末ケースのキャップｃａｐを被せられた丸磁石Ｃを表す図である。
［図１７］図１７は、本発明に係る、カード入れを備えた携帯情報端末ケースにおいて、一対の留め具の位置のズレδを、磁石力Ｆにより自動的に修正することを示す模式図である。図は、本発明に係る、カード入れを備えた携帯情報端末ケースが寸法誤差０で理想的に製造された場合で、一対の留め具の位置のズレδが０の場合を表す図である。（Ｂ）図は、一対の留め具の位置のズレδが生じていても、磁石力Ｆにより自動的にズレδを修正することを示す模式図である。
以下、本発明に係る、カード入れを備えた携帯情報端末ケースについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
少なくとも背面板及び左右側面板からなるケース本体２０と二つ折り形式のカード入れ１０とからなるカード入れを備えた携帯情報端末ケース１００において、
二つ折り形式のカード入れ１０は、ピン接合されたＡ面部とＢ面部から構成され、
ケース本体２０の携帯情報端末が収納される側をケース本体２０の背面側、背面側の反対側をケース本体２０の正面側とし、
携帯情報端末ケース１００は、ケース本体２０の背面板の正面側と二つ折り形式のカード入れ１０のＢ面部とが張り合わされており、
Ｂ面部においては、ケース本体２０の背面板と張り合わされている側をＢ面部の背面側、ケース本体２０の背面板と張り合わされていない側をＢ面部の正面側とし、
Ａ面部においては、携帯情報端末ケース１００を閉じた状態にした場合、Ｂ面部と対向する側をＡ面部の背面側、Ｂ面部と対向する側の反対側をＡ面部の正面側とし、
二つ折り形式のカード入れ１０は、Ａ面部の背面側に設けられた第１の留め具Ｍ１及び第２の留め具Ｍ２と、Ｂ面部の正面側に設けられた第１の留め具Ｍ１に対応する第３の留め具Ｍ３及び第２の留め具Ｍ２に対応する第４の留め具Ｍ４と、Ｂ面部の正面側に設けられ、カードを取り容れる挿入口Ｏを有したポケット部Ｐｔとを備え、
第１の留め具Ｍ１〜第４の留め具Ｍ４は、丸磁石ＣＭからなり、
第１の留め具Ｍ１と第３の留め具Ｍ３は、両留め具が閉じて係合する場合、両留め具の磁極中心線及び当該磁極中心線の向きが一致し、
第２の留め具Ｍ２と第４の留め具Ｍ４は、両留め具が閉じて係合する場合、両留め具の磁極中心線及び当該磁極中心線の向きが一致しており、
第１の留め具Ｍ１及び第３の留め具Ｍ３は、前記ポケット部Ｐｔの挿入口Ｏより取り容れたカード上辺より上に位置し、
携帯情報端末ケース１００は、第１の留め具Ｍ１と第３の留め具Ｍ３、及び、第２の留め具Ｍ２と第４の留め具Ｍ４が係合するとＡ面部の背面側とＢ面部の正面側との間に空間部分である隙間部分Ｓが確保されてなり、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とするカード入れを備えた携帯情報端末ケースが開示されている。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
○第１の発明の効果
第１の発明によれば、
少なくとも背面板及び左右側面板からなるケース本体２０と二つ折り形式のカード入れ１０とからなるカード入れを備えた携帯情報端末ケース１００において、
二つ折り形式のカード入れ１０は、ピン接合されたＡ面部とＢ面部から構成され、
ケース本体２０の携帯情報端末が収納される側をケース本体２０の背面側、背面側の反対側をケース本体２０の正面側とし、
携帯情報端末ケース１００は、ケース本体２０の背面板の正面側と二つ折り形式のカード入れ１０のＢ面部とが張り合わされており、
Ｂ面部においては、ケース本体２０の背面板と張り合わされている側をＢ面部の背面側、ケース本体２０の背面板と張り合わされていない側をＢ面部の正面側とし、
Ａ面部においては、携帯情報端末ケース１００を閉じた状態にした場合、Ｂ面部と対向する側をＡ面部の背面側、Ｂ面部と対向する側の反対側をＡ面部の正面側とし、
二つ折り形式のカード入れ１０は、Ａ面部の背面側に設けられた第１の留め具Ｍ１及び第２の留め具Ｍ２と、Ｂ面部の正面側に設けられた第１の留め具Ｍ１に対応する第３の留め具Ｍ３及び第２の留め具Ｍ２に対応する第４の留め具Ｍ４と、Ｂ面部の正面側に設けられ、カードを取り容れる挿入口Ｏを有したポケット部Ｐｔとを備え、
第１の留め具Ｍ１〜第４の留め具Ｍ４は、丸磁石ＣＭからなり、
第１の留め具Ｍ１と第３の留め具Ｍ３は、両留め具が閉じて係合する場合、両留め具の磁極中心線及び当該磁極中心線の向きが一致し、
第２の留め具Ｍ２と第４の留め具Ｍ４は、両留め具が閉じて係合する場合、両留め具の磁極中心線及び当該磁極中心線の向きが一致しており、
第１の留め具Ｍ１及び第３の留め具Ｍ３は、前記ポケット部Ｐｔの挿入口Ｏより取り容れたカード上辺より上に位置し、
携帯情報端末ケース１００は、第１の留め具Ｍ１と第３の留め具Ｍ３、及び、第２の留め具Ｍ２と第４の留め具Ｍ４が係合するとＡ面部の背面側とＢ面部の正面側との間に空間部分である隙間部分Ｓが確保されてなり、
カード入れを備えた携帯情報端末ケース１００を上下逆さにした場合、収納されたカード上辺が、第１の留め具Ｍ１及び／又は第３の留め具Ｍ３により、係止されて外に落下してしまわないことを特徴とするカード入れを備えた携帯情報端末ケース。
ここに、第１の留め具Ｍ１〜第４の留め具Ｍ４の磁極中心線とは、丸磁石ＣＭのＳ極の中心とＮ極の中心を通る線をいい、磁極中心線の向きとはＳ極からＮ極へ向かう向きをいう。
という特徴的な構成要件により、本発明が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
二つ折り形式のカード入れを閉める場合、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、二つ折り形式のカード入れを開ける場合、隙間部分Ｓに指の一部を入れて指をＡ面部に引掛けて指の力が磁石力に打ち勝って開けることができることを特徴とする請求項１に記載されたカード入れを備えた携帯情報端末ケースが開示されている
○第２の発明の効果
第２の発明によれば、
二つ折り形式のカード入れを閉める場合、第１の留め具Ｍ１と第３の留め具Ｍ３、及び、第２の留め具Ｍ２と第４の留め具Ｍ４が係合することによって形成されるＡ面部の背面側とＢ面部の背面側との空間部分である隙間部分Ｓが確保されてなり、二つ折り形式のカード入れを開ける場合、隙間部分Ｓに指の一部を入れて指をＡ面部に引掛けて指の力が磁石力に打ち勝って開けることができることという特徴的な構成要件により、本発明が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とする請求項１〜２の何れかに記載されたカード入れを備えた携帯情報端末ケースが開示されている。
ここに、第１の留め具Ｍ１〜第４の留め具Ｍ４の磁極中心線とは、丸磁石ＣＭのＳ極の中心とＮ極の中心を通る線をいう。
○第３の発明の効果
第３の発明によれば、
二つ折り形式のカード入れを閉める場合、第１の留め具Ｍ１と第３の留め具Ｍ３、及び／又は、第１の留め具Ｍ１と第３の留め具Ｍ３のリング磁石の力で自動的に、第１の留め具Ｍ１と第３の留め具Ｍ３、及び／又は、第２の留め具Ｍ２と第４の留め具Ｍ４がそれぞれの磁極中心線が一致するように係合されることを特徴とする請求項１〜２の何れかに記載されたカード入れを備えた携帯情報端末ケース。
ここに、第１の留め具Ｍ１〜第４の留め具Ｍ４の磁極中心線とは、丸磁石ＣＭのＳ極の中心とＮ極の中心を通る線をいう。
という特徴的な構成要件により、本発明が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
第１の留め具Ｍ１〜第４の留め具Ｍ４が、キャップｃａｐを被せられた丸磁石ＣＭからなることを特徴とする請求項１〜３の何れかに記載されたカード入れを備えた携帯情報端末ケースが開示されている。
○第４の発明の効果
第４の発明によれば、
第１の留め具Ｍ１〜第４の留め具Ｍ４が、キャップｃａｐを被せられた丸磁石ＣＭからなることという特徴的な構成要件により、本発明が解決しようとする第１課題〜第３課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
Ａ面部の背面側にポケット部ｐｔが、カードを取り容れる挿入口Ｏを有し、Ｂ面部の正面側にポケット部ｐｔが、カードを取り容れる挿入口Ｏを複数有することを特徴とする請求項１〜４の何れかに記載されたカード入れを備えた携帯情報端末ケースが開示されている。
○第５の発明の効果
第５の発明によれば、
Ａ面部の背面側にポケット部ｐｔが、カードを取り容れる挿入口Ｏを有し、Ｂ面部の正面側にポケット部ｐｔが、カードを取り容れる挿入口Ｏを複数有することという特徴的な構成要件により、本発明が解決しようとする第１課題〜第３課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のカード入れを備えた携帯情報端末ケースにおいて、
Ａ面部又はＢ面部にポケット部ｐｔが、カードを取り容れる挿入口Ｏを複数有することを特徴とする請求項１〜５の何れかに記載されたカード入れを備えた携帯情報端末ケースが開示されている。
【図面の簡単な説明】
【０００９】
【図１】図１は、本発明に係る、カード入れを備えた携帯情報端末ケースの正面図である。
【図２】図２は、本発明に係る、カード入れを備えた携帯情報端末ケースの背面図である。
【図３】図３は、本発明に係る、カード入れを備えた携帯情報端末ケースの平面図である。
【図４】図４は、本発明に係る、カード入れを備えた携帯情報端末ケースの底面図である。
【図５】図５は、本発明に係る、カード入れを備えた携帯情報端末ケースの右側面図である。
【図６】図６は、本発明に係る、カード入れを備えた携帯情報端末ケースの左側面図である。
【図７】図６は、本発明に係る、カード入れを備えた携帯情報端末ケースの正面右上から見た斜視図である。
【図８】図８は、本発明に係る、カード入れを備えた携帯情報端末ケースの背面右上から見た斜視図である。
【図９】図９は、本発明に係る、カード入れを備えた携帯情報端末ケースの開いた状態を表す一方の図である。
【図１０】図１０は、本発明に係る、カード入れを備えた携帯情報端末ケースの開いた状態を表す他方の図である。
【図１１】図１１は、本発明に係る、カード入れを備えた携帯情報端末ケースの開いた状態を表す一方の図である。
【図１２】図１２は、本発明に係る、カード入れを備えた携帯情報端末ケースの開いた状態を表す他方の図である。
【図１３】図１３は、本発明に係る、カード入れを備えた携帯情報端末ケースを閉じた状態から開いた状態にする方法を示す図である。（Ａ）図は、本発明に係る、カード入れを備えた携帯情報端末ケースを閉じた状態を示す図である。（Ｂ）図は、Ａ面部が親指を入れることにより中央部変形して隙間部分Ｓが広がることによって、片手だけで、閉じた状態から開いた状態にする方法を示す図である。（Ｃ）図は、本発明に係る、カード入れを備えた携帯情報端末ケースを開いた状態を示す図である。
【図１４】図１４は、本発明に係る、カード入れを備えた携帯情報端末ケースにおいて、第１の留め具Ｍ１と第２の留め具Ｍ２が当接することによって、閉じた状態であっても隙間部Ｓが確保されていることを表す図である。隙間部Ｓが確保されることによって、親指の一部が隙間部Ｓに入り、Ａ面部が親指を入れることにより中央部変形して隙間部分Ｓが広がることによって、片手だけで、閉じた状態から開いた状態にすることができる。
【図１５】図１５は、本発明に係る、カード入れを備えた携帯情報端末ケースを上下逆さにした場合であっても、カードｃｄ上辺が留め具Ｍ２に寸法的に当たることを示している図である。
【図１６】図１６は、本発明に係る、カード入れを備えた携帯情報端末ケースの丸磁石ＣＭ及びキャップｃａｐを被せられた丸磁石Ｃを表す図である。（Ａ）図は、カード入れを備えた携帯情報端末ケースの丸磁石ＣＭを表す図である。（Ｂ）図は、カード入れを備えた携帯情報端末ケースのキャップｃａｐを被せられた丸磁石Ｃを表す図である。
【図１７】図１７は、本発明に係る、カード入れを備えた携帯情報端末ケースにおいて、一対の留め具の位置のズレδを、磁石力Ｆにより自動的に修正することを示す模式図である。図は、本発明に係る、カード入れを備えた携帯情報端末ケースが寸法誤差０で理想的に製造された場合で、一対の留め具の位置のズレδが０の場合を表す図である。（Ｂ）図は、一対の留め具の位置のズレδが生じていても、磁石力Ｆにより自動的にズレδを修正することを示す模式図である。
【符号の説明】
【００１０】
２０……ケース本体
１０……二つ折り形式のカード入れ（カード入れ）
１００……携帯情報端末ケース
Ｐ……接合部
Ｍ１……第１の留め具（留め具）
Ｍ２……第２の留め具（留め具）
Ｍ３……第３の留め具（留め具）
Ｍ４……第４の留め具（留め具）
ＣＭ……丸磁石
ｃａｐ……キャップ
ｐｔ……ポケット部
Ｏ……挿入口
ｃｄ……カード